(57)【要約】  本発明は、電子伝達装置のためのアダプターに関する。アダプターは電子伝達装置が、ユーザーのニーズに基づいた追加の機能を果すことを可能にさせる。アダプターは電子伝達装置と異なる機能を有する様々なパッケージを連結するためのフレームを有する。パッケージは、異なる機能の他のパッケージと交換できる／取り替えられる。有用なデータはパッケージにより収集されることができ、データは次の分析または分類に使用されることができる。
2016540303.tif 000002
【特許請求の範囲】
【請求項１】
電子伝達装置のためのフレームを含むアダプターであって、
前記フレームは、
（ａ）前記フレームと前記電子伝達装置を接続するための接続モジュールおよび
（ｂ）前記フレームに配置された多数のドッキング領域を含み、
各前記ドッキング領域は、
（ｉ）予め決められた大きさおよび予め決められた形状を有する空間ユニットを有する空間と、
（ｉｉ）定着メカニズムと、
（ｉｉｉ）電子的相互連結サイトと、を含み、
前記空間は、前記定着メカニズムを経由して前記フレームとドッキングするための取り付けメカニズムを有するパッケージを受け取るために適合され、
前記パッケージは前記空間ユニットの少なくとも１つの大きさおよび形状を有し、
前記パッケージが前記ドッキング領域にドッキングされる時に、前記電気的相互連結サイトは、前記パッケージと連結するために構成され、
前記接続モジュールは、前記パッケージと前記電子伝達装置の間の接続インターフェースを確立するために構成され、
前記アダプターは前記パッケージの普遍的なドッキングを供給し、それにより、ユーザーが、少なくとも１つの望まれる機能を前記電子伝達装置に追加することを可能にするアダプター。
【請求項２】
前記フレームはさらに、前記アダプターを前記電子伝達装置に連結するために構成された固定メカニズムを含む請求項１に記載のアダプター。
【請求項３】
前記接続モジュールは電気的コネクターまたはワイヤレス接続モジュールであり、
前記ワイヤレス接続モジュールはＢｌｕｅｔｏｏｔｈモジュール、Ｚｉｐｂｅｅモジュール、ｎｅａｒ  ｆｉｅｌｄ伝達モジュール、Ｗｉ−Ｆｉモジュールまたは赤外線モジュールである請求項１に記載のアダプター。
【請求項４】
前記フレームはさらに、
（ａ）前記フレームの一端から前記フレームの反対の端まで拡張している突起および
（ｂ）前記突起から垂直に拡張している多数のレールを含み、
２つの連続したレールが前記空間の２つのサイドを定めており、前記ドッキング領域の前記定着メカニズムとして働く請求項１に記載のアダプター。
【請求項５】
前記電気的相互連結サイトが前記突起の長さに沿って配置されており、
各前記相互連結サイトはさらに少なくとも１つの電気的コネクターを含み、
各前記パッケージはさらに前記電気的コネクターに連結するために構成された金属部分を含む請求項４に記載のアダプター。
【請求項６】
前記電気的コネクターはカードエッジコネクター、スライダーコネクター、ピンコネクターおよびフラットコネクターからなる群から選ばれる請求項５に記載のアダプター。
【請求項７】
前記フレームはさらに、
（ａ）前記フレームの一端から前記フレームの反対の端まで拡張された第１フラットパネルおよび
（ｂ）前記第１フラットパネルに配置された多数の金属接触部分を含み、
前記金属接触部分は前記ドッキング領域の前記電気的相互連結サイトであり、前記定着メカニズムは前記第１フラットパネルに配置される請求項１に記載のアダプター。
【請求項８】
前記定着メカニズムはレール、気体コネクターおよび磁気コネクターからなる群から選ばれる請求項７に記載のアダプター。
【請求項９】
さらに前記第１フラットパネルに平行な第２フラットパネルを含み、
前記ドッキング領域は前記第１フラットパネルと前記第２フラットパネルの間の空の空間の部分である請求項７に記載のアダプター。
【請求項１０】
前記第２フラットパネルはフィッシュボーンの一般的な形状である請求項９に記載のアダプター。
【請求項１１】
フレームの多数のドッキング領域の少なくとも１つに連結するために適合されたパッケージであって、前記フレームは、電子伝達装置に接続されることが可能なアダプターの一部であり、少なくとも１つの望まれる機能を前記アダプターを経由して前記電子伝達装置に追加する能力があり、各前記ドッキング領域は予め決められた大きさおよび予め決められた形状を有する空間ユニットを有する空間を有し、前記パッケージは、
（ａ）前記フレームの前記少なくとも１つのドッキング領域に連結するための取り付けメカニズムを含む覆い、
（ｂ）前記望まれる機能を実現するための前記覆いの内側に収容された電子部品および
（ｃ）前記パッケージが前記フレームに電気的に接続するための接続インターフェースを含み、
同じフレームが様々な機能を有する多様な大きさの異なる前記パッケージに使われることになる状態により、最大限の柔軟性を供給するために、前記電子部品の異なる容積および総計がそこに収容されることができるように、前記覆いは、少なくとも１つの前記空間ユニットの大きさおよび形状を有するパッケージ。
【請求項１２】
さらに、前記電子部品を制御するために構成された処理装置を含み、
前記パッケージの前記処理装置は、ユーザーとの相互作用のために前記電子伝達装置の手段を使うことにより、前記望まれる機能を実現するための前記電子伝達装置の処理装置を独立して動かすために構成されている請求項１１に記載のパッケージ。
【請求項１３】
前記電子部品の制御は、前記電子伝達装置の前記処理装置および前記パッケージの前記処理装置の間でスイッチで切り換え可能である請求項１２に記載のパッケージ。
【請求項１４】
前記電子伝達装置または前記パッケージの前記望まれる機能の異なる仕事の処理時間の速度を上げるために、前記電子伝達装置の処理装置と協同的に動く処理装置をさらに含む請求項１１に記載のパッケージ。
【請求項１５】
前記パッケージの前記処理装置がさらに、他のパッケージの他の処理装置または他の電子伝達装置の他の処理装置とともに協同的に働くために構成されており、前記他のパッケージおよび前記他の電子伝達装置からの手段を使い、それにより多数の処理装置システムを構成する請求項１４に記載のパッケージ。
【請求項１６】
さらに、
（ａ）前記覆いの内側に収容され、ユーザーの生理学上のデータおよび環境上のデータを測るために構成された多数のセンサーと、
（ｂ）前記生理学上のデータおよび前記環境上のデータを蓄えるために構成された保管ユニットと、を含む請求項１１に記載のパッケージ。
【請求項１７】
さらに、前記覆いの内側に収容されたデータ伝達モジュールを含み、分析またはデータ伝達ネットワークにつなげられた前記電子伝達装置との接続により共有するために、前記生理学上のデータおよび前記環境上のデータを中央に集められたクラウドサーバーに送るために構成している請求項１６に記載のパッケージ。
【請求項１８】
前記望まれる機能は、血液に関する測定、カードリーディング、温度測定、湿度測定、液体探知、画像発生、暗号文、指紋スキャン、光フラッシュ、位置測定、保管拡張、バッテリー拡張またはレーザー放出である請求項１１に記載のパッケージ。
【請求項１９】
（ａ）前記パッケージの端サイドの表面の外の方へおよび垂直に、拡張しているピンと、
（ｂ）前記パッケージの前記表面の内部へおよび垂直に拡張している穴と、をさらに含み、
前記ピンおよび前記穴は、他のパッケージの穴とピンにそれぞれ連結するために構成され、それにより、それらの間が頑丈に固定される請求項１１に記載のパッケージ。
【請求項２０】
前記接続インターフェースはコネクターのカードエッジタイプである請求項１１に記載のパッケージ。
【請求項２１】
望まれる機能を電子伝達装置に追加するための方法であって、
Ｉ．（ａ）前記アダプターを前記電子伝達装置に接続するための接続モジュールと、
（ｂ）前記フレームに配置された多数のドッキング領域と、を含み、
各前記ドッキング領域が
（ｉ）予め決められた大きさおよび予め決められた形状を有する空間ユニットを有する空間と、
（ｉｉ）定着メカニズムと、
（ｉｉｉ）電気的相互連結サイトと、
をさら含むフレームを含むアダプターを供給する工程と、
ＩＩ．前記定着メカニズムを経由して前記フレームとドッキングするための取り付けメカニズムを有する少なくとも１つのパッケージを供給し、前記パッケージはさらに少なくとも１つの空間ユニットの大きさおよび形状を有し、前記パッケージはさらに、前記望まれる機能を実現するための電子部品を含む工程と、
ＩＩＩ．前記定着メカニズムを経由して少なくとも１つのパッケージを前記ドッキング領域に差し込む工程と、
ＩＶ．前記少なくとも１つのパッケージを前記フレームに電気的に接続する工程と、
Ｖ．前記接続モジュールを経由して、前記少なくとも１つのパッケージおよび前記電子伝達装置の間の接続を確立する工程と、
ＶＩ．前記電子伝達装置において、前記望まれる機能を実現する工程と、を含み、
それにより、ユーザーは最大限の柔軟性と効率とともに前記電子伝達装置の機能を増やすことができる方法。
【請求項２２】
フレームを供給することにより、少なくとも１つの望まれる機能を電子伝達装置に供給するための方法であって、
前記フレームは、前記電子伝達装置に接続されるために構成されたアダプターの一部であり、少なくとも１つの望まれる機能を、前記アダプターを経由して前記電子伝達装置に追加する能力があり、前記フレームはさらに多数のドッキング領域を含み、各前記ドッキング領域は、予め決められた大きさおよび予め決められた形状の空間ユニットを有する空間と、定着メカニズムと、電気的相互連結サイトと、を含み、
（ａ）前記電子伝達装置に追加されることになる望まれる機能を選択する工程と、
（ｂ）前記望ましい機能を実現するために必要とされる部品を選択する工程と、
（ｃ）前記部品を収容するために必要とされる空間の総計を決める工程と、
（ｄ）空間の前記総計よりも大きい内部の容積を有するパッケージの覆いを選択し、前記パッケージの覆いはさらに、前記空間ユニットの少なくとも１つの大きさおよび形状を有し、前記パッケージの覆いは、さらに、前記定着メカニズムを経由して前記フレームにドッキングするための取り付けメカニズムを含む工程と、
（ｅ）前記部品を前記パッケージの覆いに集め、それによりパッケージを構成する工程と、
（ｆ）前記電気的相互連結サイトを経由して、前記パッケージと前記電子伝達装置の間の接続インターフェースを確立する工程と、
（ｇ）前記電子伝達装置において、前記望まれる機能を実現する工程と、を含み、
それにより、ユーザーは最大限の柔軟性と効率とともに前記電子伝達装置の機能を増やすことができる方法。
【発明の詳細な説明】
【技術分野】
【０００１】
関連する出願の他箇所参照
この出願は、２０１４年６月４日に提出された通し番号６２００７４０７の米国仮出願の３５Ｕ．Ｓ．Ｃセクション１１９（ｅ）の利益を主張し、これによって、その全体において、ここに参照により合体される。この出願はまた、２０１３年８月１２日に提出された出願番号１０２０１３１０８７１５．９のドイツ出願および２０１３年８月１２日に提出された出願番号１０２０１３１０８７１６．７のドイツ出願からの優先権を主張する。
【０００２】
この発明は、電子伝達装置のためのアダプターおよび、特に、電子伝達装置に機能を付け足すアダプターに関する。
【背景技術】
【０００３】
一般に、装置は、その元のハードウェアが備える特定の機能に制限される。これは、装置の有効性、柔軟性およびカスタマイズ能力を制限する。いくつかの可動性装置は、機械的な連結装置を取り巻いているかもしれず、それは、背面へのポジティブフィット連結のために設計されている。
【０００４】
例えば、公開番号ＤＥ１９５２０９４７Ａ１の特許出願は、一般的な方法として、パーソナルコンピューターを記載しており、それは、英字と数字を組み合わせたキーボードおよびモニターとともに、フリップオープンラップトップのデザインを表示しており、電話、ラジオまたはデータ伝達装置の機能を組み合わせた遠距離通信装置として設計されている。さらに加えて、それは、マネーカードのためのインターフェースを有する。コンピューターのモニターとキーボードは、その縦の側面のピボット機能で接続され、閉じられた位置において、お互い一部重なり合う。
【０００５】
例えば、一般的な装置として同じ大きさで設計される電力供給は、コンピューターセクションの背面と同じ高さに配置されている。
【０００６】
ユーザーの個々の必要条件に対する可動性装置の個々の適応性（カスタマイズ能力）の欠如自体は不便なことを示す。ユーザーは拡張部品を選び、例えば、いわゆるＵＳＢ基準、に従って、外部のインターフェース経由でそれらを機械の、電気のおよび信号の技術により、可動性装置に接続することを強制される。後で、ユーザーは可動性装置の例えばソフトウェアドライブを経由して可動性装置の処理装置に拡張部品に適したソフトウェアをロードしなければならない。しかし、不便な点は、インストーレーションが面倒であり、ユーザーは２つの機械的に別個の装置を扱わなければならない点に、まだ残っている。
【０００７】
パーソナルコンピューターは、拡張カードを通して、ユーザーの一個人の必要条件にカスタマイズされることができ、このように、追加機能を供給するために品質が高められることができ、それによって、拡張カードは強固におよび移動可能に、コンピューターに接続され、それらは、たいていは装置の覆いの内部のマザーボードに組み込まれ、ボルトで留められ、または差し込まれる。
【０００８】
例えば、いわゆるＰＤＡおよびスマートフォンといった可動性伝達装置は、ホルダーの上または中に配置され、その際、ケーブルコネクションまたはワイヤレス手段を用いた拡張部品のインターフェースにドッキングされる。すべてのホルダーは、それらが可動性装置または拡張部品がユーザーにより決められた特定の場所に可動性装置または拡張部品を保持することを供給し、それらが可動性装置または拡張部品を囲むという特徴を共有する。オプションとして、ホルダーは、可動性装置または追加の外部のインターフェースへの電力供給としての追加機能も特徴付けることができる。
【０００９】
当業者は、スマートフォンがカスタマー独特のハードウェアの改造の可能性を提供し、それが後の３つのカテゴリー：ワイヤレスインターフェース経由の拡張、電気を伝導する接続経由の拡張および覆い、取り替えられる覆いカバーおよび保護用のスリーブとしての受動的な要素に分けることができることを理解するかもしれない。
【００１０】
Ｂｌｕｅｔｏｏｔｈ、ＷｉＦｉ、赤外線およびその他のようなワイヤレスインターフェースはエネルギーまたは電力を送らず、それゆえに、第２バッテリーまたは第２チャージングユニットが必要とされる。
【００１１】
ヘッドフォンプラグ、ＵＳＢ、ファイアファイアまたはその他を経由するオーディオ接続のような電気を伝導する接続は、特にケーブルを経由した、大きく、外部の、不細工な、機械的で不安定な取り付けという結果になり、このように、プラグが外れるリスクがある。
【００１２】
スマートフォンは、前面において、ディスプレイスクリーンおよびハードまたはソフトキーボードを特徴づける。その他の表面は、ほとんど利用されないか、または全く利用されず、休んでいる状態にある。例えば、単独でカメラレンズおよびフラッシュライトを有するものを除いて、多くのスマートフォンの背面はほとんど使われない。
【００１３】
保護用スリーブに可動性装置を配置することは、広範囲に及ぶことにもなる。保護用スリーブの目的は、機械的な、物理的な、化学的な、または電磁気的なダメージから可動性装置を保護することであり、それらは、可動性装置を全面的にまたは少なくとも部分的に取り巻く。
【発明の概要】
【発明が解決しようとする課題】
【００１４】
前述の背景の観点から、本発明の目的は、可動性装置の技術的に単純な拡張オプションを供給し、しかし、同時に、拡張された状態において、その操作を改善することである。特に、ここで供給されるのは、可動性装置および少なくとも拡張部品であり、それは、ユーザーにより望まれる個々のハードウェア機能により、可動性装置を拡張することになり、なおいっそう、全ての配置で単純な操作の状態にさせる。
【課題を解決するための手段】
【００１５】
したがって、本発明は、電子伝達装置のためのフレームを含むアダプターであって、フレームはさらに、アダプターを電子伝達装置に接続するための接続モジュールおよびフレームに配置された多数のドッキング領域を含み、
各ドッキング領域は、さらに、予め決定された大きさおよび予め決定された形状を有する空間ユニットを有する空間、定着メカニズム、および電気的相互連結サイトを含む。空間は、定着メカニズムを経由してフレームとドッキングするための取り付けメカニズムを有するパッケージを受け取るために適合される。パッケージは、空間ユニットの少なくとも１つの大きさおよび形状を有する。パッケージがドッキング領域にドッキングされる時に、電気的相互連結サイトはパッケージに連結するために構成される。接続モジュールは、パッケージと電子伝達装置の間の接続インターフェースを確立するために構成される。それによって、アダプターはパッケージの普遍的なドッキングを供給し、それにより、ユーザー、が少なくとも１つの望まれる機能を電子伝達装置に追加することを可能にさせる。
【００１６】
一実施形態として、フレームはさらに、アダプターを電子伝達装置に連結するために構成された固定メカニズムを含む。
【００１７】
本発明のもう一つの側面によれば、本発明は、電子伝達装置に接続できるアダプターの一部であり、アダプターを経由して電子伝達装置に少なくとも１つの望まれる機能を追加する能力があるフレームの多数のドッキング領域の少なくとも１つに連結するために適合されたパッケージである。各ドッキング領域は、予め決定された大きさおよび予め決定された形状の空間ユニットを有する空間を有する。パッケージは、フレームの少なくとも１つのドッキング領域に連結するための取り付けメカニズムを含む覆い、望まれる機能を実現するための覆いの内部に収容された電子部品および、パッケージがフレームに電気的に接続するための接続インターフェースを含む。同じフレームが様々な機能を有する多様な大きさのパッケージに使われることになる状態により、最大限の柔軟性を供給するために、電子部品の異なる容積および総計がそこに収容されることができるように、覆いは、少なくとも１つの空間ユニットの大きさおよび形状を有する。
【００１８】
一実施形態として、パッケージは、さらに、覆いの内側に収容され、ユーザーの生理学上のデータおよび環境上のデータを測るために構成された多数のセンサーおよび生理学上のデータおよび環境上のデータを蓄えるために構成された保管ユニットを含む。
【００１９】
他の実施形態として、パッケージは、さらに、覆いの内側に収容されたデータ伝達モジュールを含み、分析または、データ伝達ネットワークにつなげられた電子伝達装置との接続により共有するために、生理学上のデータおよび環境上のデータを中央に集められたクラウド送るため構成されている。
【００２０】
第３の側面として、本発明は、望まれる機能を電子伝達装置に追加する方法である。本方法は、アダプターを電子伝達装置に接続するための接続モジュールおよび、予め決められた大きさおよび予め決められた形状の空間ユニットを有する空間と、定着メカニズムと、電気的相互連結サイトと、を含み、フレームに配置された多数のドッキング領域をさらに含むフレームを含むアダプターと、を供給する工程と、少なくとも１つの空間ユニットの大きさおよび形状を有し、定着メカニズムを経由してフレームとドッキングするための取り付けメカニズムおよび望まれる機能を実現するための電子部品を有する少なくとも１つのパッケージを供給する工程と、少なくとも１つのパッケージを定着メカニズムを経由してドッキング領域に差し込む工程と、少なくとも１つのパッケージをフレームに電気的に接続する工程と、接続モジュールを経由して少なくとも１つのパッケージと電子伝達装置の間の接続を確立する工程と、電子伝達装置において、望まれる機能を確立する工程と、を含む。それゆえに、ユーザーは、最大限の柔軟性と効率とともに電子伝達装置の機能を増やすことができる。
【００２１】
他の観点において、本発明は、フレームを供給することにより、電子伝達装置に少なくとも１つの望まれる機能を供給するための方法であり、フレームは、電伝達装置に接続されるために構成されたアダプターの一部であり、少なくとも１つの望まれる機能を、アダプターを経由して電子伝達装置に追加する能力があり、予め決められた大きさおよび予め決められた形状の空間ユニットを有する空間を含む多数のドッキング領域と、定着メカニズムと電気的相互連結サイトとを含む。前記方法は、電子伝達装置に追加されることになる望まれる機能を選択する工程と、望ましい機能を実現するために必要とされる部品を選択する工程と、部品を収容するために必要とされる空間の総計を決める工程と、定着メカニズムを経由してフレームとドッキングするための取り付けメカニズムを含み、空間の総計よりも大きい内部の容積および空間ユニットの少なくとも１つの大きさおよび形状を有するパッケージの覆いを選択する工程と、部品をパッケージの覆いに集め、それによりパッケージを構成する工程と、電気的相互連結サイトを経由して、パッケージと電子伝達装置の間の接続インターフェースを確立する工程と、電子伝達装置における望まれる機能を実現する工程と、を含む。それゆえに、ユーザーは、最大限の柔軟性と効率とともに電子伝達装置の機能を増やすことができる。
【００２２】
本発明には、多くの有利なことがある。アダプターと電子伝達装置を単純に連結することにより、電子伝達装置は特別の機能を得ることができる。さらに、パッケージは、異なる機能を有する他のパッケージにより、交換され、または取り替えられることができ、より高い柔軟性とカスタマイズ能力という結果が得られる。さまざまなパッケージは、お互いに伝達でき、このようにして、それらは、複合の機能を行うように構成されることができる。パッケージがそれら自身の処理装置を有することができるように、電子伝達装置は、なおいっそう良い性能を有することができるが、追加の機能を得る。パッケージの処理装置は、電子伝達装置により、異なる仕事を行うために利用されることができ、それゆえに、全体の処理するスピードが増す。
【００２３】
本発明のもう一つの有利なことは、パッケージが、様々なデータをユーザーまたは周囲から捕えられる異なるセンサーを備えつけられることができることである。集められたデータは、後の分析または共有に使用されることができる。
【００２４】
さらに、アダプターとパッケージは、異なるパーティーにより供給されることができる別個のハードウェアである。言い換えると、１つのパーティーは、バックボーン、モジュールおよびソフトウェアを供給することができ、一方、他のパーティーは、特定のハードウェアを有するパッケージを製造することができ、しかし、それでも、供給されたバックボーンと共用できる。
【図面の簡単な説明】
【００２５】
【図１】図１は、可動性装置とそれに連結された、追加機能および／またはハードウェアにより可動性装置を拡張するいくつかの装置部品の側面図であり、内部に配置された部品はダッシュで示されている。
【００２６】
【図２】図２は、可動性装置の底面および第１装置部品の上面の上底面図である。
【００２７】
【図３】図３は、装置部品と可動性装置の連結のフローチャートである。
【００２８】
【図４】図４は、可動性装置におけるソフトウェアインストレーションを示す追加のフローチャートである。
【００２９】
【図５ａ】図５ａは、典型的な実施形態における本発明のアダプターのフレームの斜視図である。
【００３０】
【図５ｂ】図５ｂは、典型的な実施形態におけるアダプターのフレームの側面図である。
【００３１】
【図６ａ】図６ａは、一実施形態におけるパッケージの斜視図である。
【００３２】
【図６ｂ】図６ｂは、典型的な実施形態において、溝、（取り付けメカニズムの例として）出っ張りおよび接続インターフェースを示すパッケージの側面図である。
【００３３】
【図７】図７は、典型的な実施形態において、そのはめられたステージにおけるアダプターの斜視図である。
【００３４】
【図８】図８は、典型的な実施形態において、単一のパッケージの２倍の大きさを有する２倍の大きさのパッケージの異なる図を示す。
【００３５】
【図９】図９は、典型的な実施形態におけるフレームの正面図である。
【００３６】
【図１０】図１０は、他の典型的な実施形態におけるアダプターのフレームの斜視図である。
【００３７】
【図１１ａ】図１１ａは、他の典型的な実施形態におけるアダプターのフレームの正面図である。
【００３８】
【図１１ｂ】図１１ｂは、図１１ａと同じ典型的な実施形態におけるアダプターのフレームの側面図である。
【００３９】
【図１２ａ】図１２ａは、他の典型的な実施形態におけるパッケージの斜視図である。
【００４０】
【図１２ｂ】図１２ｂは、他の典型的な実施形態において、その溝および出っ張りを示すパッケージの側面図である。
【００４１】
【図１３ａ】図１３ａは、他の典型的な実施形態において、接続インターフェースを備えるパッケージの底面図である。
【００４２】
【図１３ｂ】図１３ｂは、他の典型的な実施形態における穴と棒を備えるパッケージの斜視図である。
【発明を実施するための形態】
【００４３】
ここおよびクレームで用いられように、「含む」は次の要素を含むが、他を除外しない。
【００４４】
ここおよびクレームで用いられるように、「連結する」または「接続する」は、電気的に連結すること、機械的に連結することまたは両方の組み合わせを言う。接続は１つまたは複数の電気的な手段または機械的な手段を経由した直接の接続またはワイヤレス手段を通じた間接の接続のどちらかであることができる。
【００４５】
ここおよびクレームで用いられるように、「電子伝達装置」は、特定の機能を果たす処理装置を備え、外部の装置と接続するための接続インターフェースを備え、および／またはデータ伝達ネットワークと接続する能力を備え、および／またはユーザーとの伝達のための電子インターフェースを備える何らかの装置を言う。「電子伝達装置」の例は、スマートフォン、ポータブルタブレットコンピューター、ラップトップ、スマートウォッチ、ネックレットおよびリストバンドなどを含む。
【００４６】
発明の詳細な説明は以下の通り説明されるだろう。本発明は様々な構成および様々な使い方を有する。特定の構成および使い方は、実際のニーズに応じて選択されることができる。
【００４７】
次の説明において、「装置部品」および「アダプター」は、交換可能に用いられ、それらの両方は、電子伝達装置に機能を追加するために、電子伝達装置に連結する能力がある付け足す装置を言う。さらに、「機能性部品」および「パッケージ」は、交換可能に用いられ、それらの両方は、電子伝達装置において、追加機能を実現するために、「装置部品」または「アダプター」から分離できる物理的なモジュールを言う。
【００４８】
一実施形態において、本発明は可動性装置、そのための装置部品およびそこに連結された装置部品を備える可動性装置を操作するための工程に関する。
【００４９】
他の実施形態において、本発明は、可動性装置、特に可動性伝達装置または可動性コンピューターであり、処理装置およびプラグイン接続として設計されたインターフェース配列を有し、それは、ケーブル線および一致するプラグの補助物で接続された外部装置からの少なくとも１つの信号およびデータを送るためおよび受け取るために設計されている。
【００５０】
まだ、他の実施形態として、本発明は、この目的のためにワイヤレス伝達装置に備え付けられている外部装置の少なくとも１つの信号およびデータのワイヤレスのやり取りのための１つまたは複数の本来備わっている部品を有する可動性装置、または可動性コンピューターに関する。
【００５１】
可動性装置のこの縁部サイドは、同時に、または代わりに、表示装置の１つおよび／または入力装置の１つの反対側に配置された可動性装置の一方のサイドであることができる。このサイドは、例えば、可動性ラジオ装置、ちょうつがいで動くスクリーンを備えるコンピューターまたはいわゆるタブレットコンピューターの背面である。情報提示側において、表示装置は特に、平らなスクリーンまたは、一般的にタッチスクリーンとも記載されるタッチセンシティブスクリーンとして設計される。入力装置は少なくとも操作する要素を特徴付け、例えば、機械的に実行可能なキーボードまたはいわゆるタッチスクリーンである表面センシティブキーボードとして設計される。
【００５２】
追加装置部品の特定の目的は、少なくとも１つの機能および／または特別な機能を備えるハードウェア部品により、可動性装置を拡張することである。多くの異なる装置部品の供給は、可動性装置を対応する様々な機能および装置の特徴により、拡張させる状態にする。
【００５３】
それとともに、連結は特に、移動できる連結およびスライディングまたはスナップイン配列の補助物を備える特に幾何学的なおよび／または機械的な連結である。
【００５４】
好ましい機械的連結は、例えば、回転要素、つまみおよび溝の接続またはスナップイン接続といった単純な手法を使う頑丈な接続を保証する。
【００５５】
しかし、それは別にして、およびそれの向こうにおいて、磁気のまたは気体の連結要素も等しく適していると理解される。なぜならば、それらも機械的連結という意図において、可動性装置および装置部品の頑丈な連結取り付けとして役立つからである。
【００５６】
特に、装置部品がそれ自身を調整できる場合において、好まれる頑丈な連結は装置部品の連結セクションが、可動性装置またはその連結された部品に固定してつけられることも意味する。このようにして、物理的なユニットは創作され、それは、まとまった、統合された部品のままであるその形態に基づき、それ自体で可動性である。これは、装置部品と可動性装置の間のケーブルによる接続を理由とする空間的にはっきりしない付随して起こる動きを防ぐ。
【００５７】
問題における装置部品は、このように、例えば、少なくとも１つの追加機能により、可動性装置を拡張する取り替えられる機能性部品を有する標準の背面覆いカバーであり、それは、特に、ハードウェア機能であり、この機能は、バッテリーまたはＳＩＭカード（すなわち、ｓｕｂｓｃｒｉｂｅｒ  ｉｄｅｎｔｉｆｉｃａｔｉｏｎ  ｍｏｄｕｌｅ  ｃａｒｄ）などの背面から接近できる部品を覆うだけではない。
【００５８】
インターフェース配列は、それが、独立した構造の少なくとも１つの追加装置、すなわち機能性部品に接続し、信号またはデータを少なくとも１つの方向において交換する状態にする方法で設計される。
【００５９】
信号およびデータは、デザインに依存して、アナログまたはデジタルの形態で送られることができる。これは、情報または測られた値の伝達ばかりでなく、例えばソフトウェアまたはドライバーといったファイルおよび／またはソーステキストの伝達を必要とする必要がなく、それは、可動性装置の処理装置に、連結された装置部品の機能にアクセスする状態にするだろう。さらに、電流または電圧は、必要とされるのであれば、そのようなインターフェースを通じて管理されることができる。
【００６０】
受動の背面カバーの代わりに、可動性装置は装置部品により特に拡張されることになり、それは、特に可動性装置に自発的なハードウェア部品および／またはソフトウェア機能を備え付けるだろう。
【００６１】
問題における可動性装置は、特に、独立的にもっぱら機能を果たす装置である。それは、追加機能および／または接続された部品を備える連結された形態にあるハードウェアを特徴づけるために、装置部品により拡張されることができる。機能性部品は、もはや可動性装置に、可動性装置の外側にそれぞれ位置する外部インターフェースの手段、例えば、いわゆるＵＳＢ標準に基づくインターフェースにより、機械の、電気の、信号技術の、およびＩＴ−ｗｉｓｅの手段により、取り付けられることを必要とせず、多かれ少なかれ別個の部品の方法によれば、これらは（ドイツの言語で暗示すると、機能性部品および／またはインターフェース）、いつも可動性装置の覆いのサイドから突き出ることにはならず、または、さらに、束ねていないケーブル接続または欠陥傾向があるラジオ接続とともに運ばれ回られる必要がないだろう。連結された形態において、コンパクトユニットが供給され、それは、拡張部品を有する可動性装置が１つの単一の統合されたユニットであることを保証する。特に、これは、可動性装置のユーザーにより選択された個々のハードウェア機能により、可動性装置の拡張の状態にし、さらに、全体の配列の単純な操作を可能にする。電気的な接続に加えて、連結された形態は、可動性装置と装置部品の少なくとも１つの間の機械的に安定した接続を供給し、高い伝達信頼性も保証するが、しかしまだ、分離することは単純である。それが連結された形態ではない時、装置部品はさらに、エネルギー、電源および制御を引き継ぐ負担がかけられている処理装置がある供給されたそれ自身の機能を果たすことができる。
【００６２】
可動性装置は、特に、遠距離通信装置および／またはコンピューターが備えられた装置、例えば、スマートフォン、携帯電話、タブレットコンピューター、ノートブック、ラップトップまたはその他の携帯される装置である。
【００６３】
さらに、インターフェース配列を備える装置部品も供給され、それは、少なくとも１つの信号およびデータを送るために設計されており、可動性装置の一方／表面において、装置部品の覆い部分の機械的におよび／または頑丈な連結のために特に設計された連結装置を備えており、少なくとも機能性部品を備えており、それによって、インターフェース配列はこのように、連結装置を経由して連結された可動性装置の処理装置の補助物を有する装置部品の少なくとも１つのそのような機能性部品を制御するために設計されており、および／または、それによって、インターフェース配列は、連結装置を経由して連結された可動性装置により、少なくとも１つの信号およびデータを送るために設計されている。
【００６４】
それとともに、特に、装置部品は、可動性装置のハードウェア拡張に相当する。ハードウェア拡張は、それとともに、特に、追加機能が可動性装置に与えられる、および／または機能性部品のような追加のハードウェアが加えられることと理解される。一般的に、追加機能は、可動性装置が装置部品の連結より前に備えられなかった機能であり、または、可動性装置に備えられたが、ユーザーにとって十分ではない機能である。最新の発明において、ない、または、十分でない、のどちらかのこれらの機能は、装置部品に追加され、または交換されることができる。
【００６５】
このようにして、装置部品は自発的な部品および／または機能を供給する。受動的なのとは反対に、それは、可動性装置が部品、特に、装置部品におけるセンサー、処理装置またはアクチュエーターのような電気的な部品を制御する、またはデータを回収することを可能にさせられることを意味する。このように、本発明は、純正の覆い部品および可動性装置で動くことができるそれらの機能がない他の部品を備えるそれらの受動的な部品と反対の自発的な部品を供給する。受動的な部品、例えば、メイクアップパウダー容器は、最新の発明に含まれることになるだろうし、パッケージにもなることができる。受動的および自発的なパッケージは、装置部品に付け加えられるために、混合される。
【００６６】
この意味において、可動性装置と装置部品をつなぐ直接の連結が好まれる。しかしながら、アダプターが特に、機械的に、および／または頑丈な連結配列に設計される限りは、受動的なアダプター、例えば、アダプターリングは、可動性装置と装置部品または追加の装置部品の間に導入されることは除外されない。特に、ラジオ（波動）または誘導の補助物により、信号またはデータを送るインターフェース配列の場合において、そのようなアダプターは、それ自身のインターフェース部品に備え付けられる必要はない。同様に、そのような連結装置もクリップなどの取り巻く要素から成り立つことができる。
【００６７】
他の実施形態において、装置部品の覆いは、全面的に囲まれることができ、その結果、全ての覆い壁は、閉じられて設計される。しかし、個々のまたは全ての覆い壁は、もっぱらまたは部分的に開いていることも可能である。同じことが、パッケージに適用される。同様に、追加の装置部品の覆い部分は、好ましくは、電気的なインターフェースを創作するための接触要素および連結装置を創作するための構成的な要素を有する囲まれた覆い壁を有する。しかしながら、外部の連結された装置部品が、可動性装置に面するサイドにおいて、閉じられた壁を特徴づけない時、この覆い部品はフレームまたは出っ張り形状の形態を有することができる。
【００６８】
まだ、他の要素として、本発明は、その第１連結サイドが可動性装置の可動性装置側に連結されている第１連結装置および装置部品の第２連結サイド（４８；６５）に連結された第２連結装置を備える装置部品を含む。第２連結装置は、追加装置部品が第１連結装置に連結するために設計される。
【００６９】
他の実施形態として、本発明は、インターフェース配列を備える装置部品を含み、それは、可動性装置に面する装置部品の第１連結サイドにおいて、第１インターフェース配列として設計され、装置部品の第２連結サイドにおいて、第２インターフェース配列を備える。第２インターフェース配列は、その第１連結サイドにおいて、同じ様式の追加装置部品の第１インターフェース配列との接触を保つために設計される。
【００７０】
第２連結装置および第２インターフェース配列はこのようにして、追加装置部品の連結のための連結する箇所として役立つ。その上、可動性装置の後部壁は、必要とされるならば、第１装置部品を連結するために可動性装置から取り除かれる。これは特に、いくつかの装置部品の積み重ねる配列の状態にもし、それは、積み重ねとして、可動性装置に取り付けられることができる。たとえ、それが、可動性装置を多少、不細工にさせる原因となっても、それは、多数の様々な機能による拡張の状態にする。
【００７１】
追加の実施形態として、本発明は、可動性装置および装置部品を含み、それによって、処理装置およびインターフェース配列は、連結装置を経由して、お互いの上部において、連結され、および積み重ねられる少なくとも２つの装置部品を制御し、および／または、連結装置を経由して、お互いの上部において、連結され、および積み重ねられる少なくとも２つの装置部品から信号およびデータの少なくとも１つを受け取るために設計される。
【００７２】
そのような外部の装置部品として好まれるものは、それらが、望まれるように取り替え可能であるものである。望まれるように可動性装置への積み重ねとして、全体の一連の取り付けられた部品を取り替えることができることも好ましい。さらなる実施形態通り、データ、信号および／または電流／電圧の伝達のための電気的な接続は、積み重ねて配列された選択された装置部品およびそれらの機能性部品または機能に、その処理装置を経由して可動性装置から全て、または自由にアクセスできるように、そのような個々の装置部品を通って往復する。
【００７３】
外部の装置部品と可動性装置の連結のための機械的な部品も、好ましくは、他のそのような装置部品に連結されることができる。この終わりにおいて、可動性装置の連結サイドに供給されるのと同様に、装置部品は、特に反対側において、対応する連結メカニズムおよびインターフェースを特徴付ける。人は、特に、つまみおよび溝のコネクターの様式において、外のクリップまたはスライディングコネクターも利用することができる。
【００７４】
可動性装置および装置部品の連結サイドの実施形態に加えて、供給された進歩的な発展の結果があり、それは、特に、周囲の縁は、反対側に配置された部品の外の縁を部分的に取り囲んでいる。例えば、同様に装置部品の突き出ている周囲壁に適応させるために、可動性装置のくねくね曲がった周囲壁は、その連結サイドに向かってオフセットで設計されることができる。そのような場合において、この装置部品の同じ設計のさらなる装置部品の取り付けの状態にするために、装置部品のくねくね曲がった壁も、突き出ているセクションの反対に配置されているそのセクションにおいてオフセットを特徴づけるべきである。
【００７５】
インターフェース配列が可動性装置および連結装置を経由して連結された少なくとも１つの装置部品の間の供給された電圧および／または供給された電流を管理するために設計されている可動性装置または装置部品の実施形態も供給できる。
【００７６】
そのような可動性装置またはそのような装置部品の他の有利な実施形態は、それらに処理装置を備えることで代表され、それは、装置部品の少なくとも１つのインターフェース配列および少なくとも１つの機能性部品の接続において、配置され、設計され、連結された可動性装置の処理装置の指示を頼って、機能性部品を制御し、および／または、それは、流れに沿ってスイッチにより切り変えられるそのような装置部品の機能性部品の制御のための実施形態を備える。
【００７７】
この終わりにおいて、処理装置は、バス‐コネクションを経由して、個々の機能性部品およびインターフェースと接続されることができる。しかしながら、処理装置は、それらの間を直接的にスイッチにより切り変えられることができる。装置部品の処理装置が可動性装置の処理装置の自発性を妨げないことが特に供給されるが、可動性装置の全部の配列および少なくとも１つの連結された装置部品の主要な制御が可動性装置の処理装置に置かれていることが、特に供給される。装置部品の将来の処理装置は、主として、可動性装置の処理装置の支持として役立つ。
【００７８】
さらなる実施形態として、本発明は、可動性装置により制御できる少なくとも１つの機能性部品を備える装置部品である。装置部品の機能は選択されることができるが、血液の仕事の測定装置、カードリーダー、特に即決決済カードリーダー、息および／または血液のアルコール分析装置、物理的におよび／または化学的な値を検出または分析する装置、特に、電気的な測定値、温度、圧力、ガス、湿度、および／または、液体の検出装置および／または液体の探知装置および／または温度、圧力、ガス、湿度および／または電気的な測定値、液体検出装置、画像発生装置、特に、内視鏡の装置、暗号文機能の装置、プリンター、指紋スキャニング装置、加速測定装置、凹凸測定装置、位置、配置、および／または距離測定装置および光源、特にレーザー光源の群から限定されない。
【００７９】
例えば、特別な装置部品を可動性装置に取り付けているレストランのウエイターは有利であり、それはデビット／クレジットカード機能を特徴付け、クレジットカードまたは他の銀行のカードを使っている客の請求書を清算できる。ウエイターの追加の装置部品は例えば、補足の装置で供給され、それは、彼らに注文される顧客の注文を自動的に送るために、キッチンまたはバーとの伝達を確立する。例えば、他の典型的な実施形態としては、装置部品に、ガス分析、もれているガスの圧力の測定、湿度の測定または温度の測定を行うために物理的な測定を行う煙突掃除作業のためのセンサー装置が備えられる。オプションとして、近づきにくい箇所における視覚による観察のための内視鏡が取り付けられた装置部品も供給されることができる。例えば、装置部品は建設労働者に供給され、彼らに、レーザーまたは超音波を使う距離の測定を行い、または、建造物、トウモロコシ貯蔵の領地または木材加工の領地における品物の湿度の量を測定できる湿度センサーを特徴付ける状態にする。
【００８０】
さらなる装置部品は、例えば、いくつかの慢性の病気で、例えば、一個人の医療の値、例えば、血圧、または血糖の量をチェックしなければならない一個人に供給されることができる。レクリエーション活動の間または仕事の際の彼らの個々のニーズに従って、可動性装置のユーザーは異なる装置部品を彼らの可動性装置に連結および切り離せる。
【００８１】
追加の実施形態として、本発明は、連結装置が、装置部品が可動性装置の連結サイドに特に、接触して連結するための連結装置部品サイドを特徴付けている装置部品を含み、それにより、そのような連結可動性装置サイドに隣接した、そのような可動性装置の連結装置部品サイドに隣接した装置部品のサイドは、少なくともその隣接する部品の間に、整列して配置されるために設計される。
【００８２】
さらに、システムは好ましくは、そのような可動性装置および少なくとも１つの連結されるまたはそれに連結する能力を有するそのような装置部品を含む。
【００８３】
そのような装置部品は１つまたはいくつかの機能、ハードウェア拡張または機能性部品を合体できる。この目的において、センサーおよびアクチュエーターは小型化され、および幾何学的に差し込まれることができ、それにより、電気的なラインは各々のセンサーおよび各アクチュエーターに延ばされる。
【００８４】
好ましい拡張された実施形態通りに、可動性装置および／またはそのような装置部品は装置を特徴づけ、それは、その一般的な設計では単独で、頑丈な構成物を供給しないが、調整できる、特に、つながれ、または回転している実施形態を供給する。そのような装置は、特に、連結セクションを経由して、特に、連結セクション自身を経由して設計されることができる。それは、特に、連結された可動性装置と比較して、装置部品の少なくとも１セクションにおいて、ちょうつがいで動くこと、回転すること、スライドすることおよび／または向きを変えることを可能にする。一般的に、これも機械的な要素の補助物とともに装置部品と可動性装置を移動するおよび／または回転する相互の変化の状態にする。誘導の連結を経由することが必要とされるならば、データおよび／または信号および必要とされるならばエネルギーの伝達を保証するために、機械的な連結部品または連結セクションは、可動性装置と連結された装置部品の間の、独立して配置された位置の電気的な接触のために適切なインターフェースが備えられるだろう。
【００８５】
一枚の紙に写真またはジャムを収納するために、特に、可動性装置から成り立つ全部の配列を閉じている装置部品の下側および少なくとも１つの装置部品は、様々なデジタルではないディスプレイ要素または装置も備えることができる。例えば、ばねクリップが装置部品の背面の表面に設計されることができる。
【００８６】
さらに、そのような可動性装置およびそれに連結される少なくとも１つの装置部品を操作するための好ましい工程があり、それは装置部品の機能性部品が、連結された可動性装置の処理装置の補助物とともに制御され、および／または、それは、装置部品の機能性部品が信号およびデータの少なくとも１つを可動性装置に送り、それが、可動性装置で処理される。
【００８７】
他の実施形態として、可動性装置に対する装置部品の連結の後、または、機能性部品のデータとしての活性化の後、機能性部品の操作のためのソフトウェアは、装置部品から可動性装置またはその処理装置にロードされる。
【００８８】
したがって、制御も特にデータ移動を取り巻く。必要とされるのならば、前のソフトウェアは、装置部品に、装置部品のドライバーとして役立てられる。特に、それは、ソフトウェアが備え付けられている装置部品をその機能に特有な状態およびコンピュータープロセッサープログラムとして可動性装置を作動するために共存できる状態にする。
【００８９】
理想的な状況の下において、装置部品が最初に可動性装置に連結される時に、ソフトウェアの移動が１回のみ行われる。その際、装置部品がそれとともに論理的に可動性装置に連結され、このように、装置部品が制御できるようになるために、ドライバーは装置部品から可動性装置にロードされる。次のアップデートはその際に、好ましくは、もし必要とされるならば、外部のプロバイダーからの外部のデータソースまたは、公的に利用可能なネットワークからロードされる。
【００９０】
これは、可動性装置への装置部品の連結に、可動性装置の処理装置の制御を経由した装置部品のセンサーの補助物において、測定を行うことを可能にさせる。
【００９１】
その際、可動性装置は、可動性装置に供給されるアプリケーションの補助物において、データをとらえることができる。そのアプリケーションは、装置部品とともに供給されるアプリケーションにもなることができる。データまたは処理することにより生じたデータは、後でセーブされ、表示され、他の工程を制御するために使用され、またはネットワークを経由して外部の装置に送られることができる。
【００９２】
他の実施形態において、本発明は、容易に扱われ運ばれることができるお互いに連結された部品の一般的な設計のままである。個々のまたはつながれた装置部品は可動性装置と同等の大きさを有しなければならない。全部の配列は、好ましくは合計の重さが１．５ｋｇ未満であり、特に、１ｋｇ未満であり、特に、携帯電話の場合は、７５０ｇ未満であり、特に５００ｇ未満である。同様に、全部の大きさは、好ましくは、範囲において、最も大きいサイドの長さは５００ｍｍに達し、好ましくは、３５０ｍｍ未満であり、特に携帯電話の場合は、２００ｍｍ未満である。
【００９３】
実施形態の例は、後のセクションでより詳細に説明されるだろう。様々な図は同じまたは同等の機能を果たす部品および機能を果たす要素に対して同じ参照を示すだろう。
【００９４】
図１に示すように、システム１０は、可動性装置２０と、可動性装置２０に連結されることができる多くの装置部品３０，５０，７０を含む。これらの装置部品３０，５０，７０のいずれか１つを単独で可動性装置２０に取り付けることができ、好ましくは、お互いの上部で積み重ねられたこれらの装置部品３０，５０，７０のいくつかが可動性装置２０に連結でき、または異なるそのような外部の装置部品も可動性装置２０に連結できる。
【００９５】
示された典型的な可動性装置２０は、例えば、可動性ラジオネットワークによる伝達のオプションを提供するだけでなく、ミニチュアコンピューターの特徴も提供する携帯電話またはいわゆるスマートフォンである。インターネットへのアクセスは、可動性装置２０の機能の部分である。可動性装置２０は覆いを特徴付け、特にその最も大きな覆いサイド（連結可動性装置サイド４６）は、ディスプレイおよび／または操作制御２１に配置される。ディスプレイおよび／または操作制御２１は、現在の技術水準における機能性要素を表示するのと同様に、物、テキストまたは絵を表示するのに役立つ。さらに、それは、現在の技術水準における機能の命令の開始、テキストまたは活性化に役立つ。ディスプレイおよび／または操作制御２１は、好ましくは、連結された装置部品により供給される追加の機能の使用、特に制御に役立つ。
【００９６】
可動性装置は、電源供給としてのバッテリー２２を特徴づける。外部の装置部品のデザイン次第で、それらは、バッテリー２２の補助物により電源が供給されることもできる。それ自身によりバッテリー４２を特徴付けている外部の装置部品、または連結された形態における可動性装置２０のバッテリー２２を充電できるいずれかの他の電源供給を使うこともできる。
【００９７】
特に、可動性ラジオネットワークにアクセスする携帯電話としての設計の場合、可動性装置２０もＩＤカード２３を差し込むためのスロットを特徴づける。スロットは、いわゆるＳＩＭ（ｓｕｂｓｃｒｉｂｅｒ  ｉｄｅｎｔｉｆｉｃａｔｉｏｎ  ｍｏｄｕｌｅ）カードを差し込むために使われ、ネットワークオペレーターが可動性装置２０のユーザーであると確認するのに役立つ。
【００９８】
可動性装置２０における処理装置２４は、その機能および個々の部品を制御するのに使われる。供給電圧Ｖが供給されるために、および／またはお互いの間のデータまたは信号を交換するために、可動性装置２０の様々な部品は、ワイヤー２５，２８でお互い接続されている。それにより、データおよび信号は、デザイン次第で、アナログまたはデジタルになることができる。信号は、部品を制御する目的として役立ち、センサーにより供給された信号の形態をとることができ、それは可動性装置２０またはその機能を制御するために役立つ。データは、特に、情報量が備えられるが、ソフトウェアソースコードも表すことができる。さらに、データはデジタル化された信号値を含むことができる。
【００９９】
第１装置部品３０の典型的な提示は、可動性装置２０に連結された様式に示される。可動性装置２０と第１装置部品３０の連結は特に、可動性装置２０の少なくとも１つの連結装置２６およびそれに連結される装置部品３０の第１連結装置３１に役立つ。連結装置２６，３１は、例えば、お互いにスライディングおよび／またはスナッピングする要素として設計され、可動性装置２０への装置部品３１の移動できる頑丈な機械的な連結の状態にする。
【０１００】
装置部品３０の可動性装置２０への連結のために、可動性装置２０は、付加的に、インターフェース配列２７を特徴づけ、ジャックとして、この例に示されており、可動性装置２０の内部に配置された部品、特にその処理装置２４に電気的に接触する状態にする。同様に、装置部品３０は、第１インターフェース配列３２を特徴づけ、プラグとして、この例に示される。連結された形態において、信号の伝達のための電気的な接触、データの伝達および電源の伝達が可能とされるような形態において、装置部品３０の第１インターフェース配列３２および可動性装置のインターフェース配列２７は、お互いにスナップする。特に、第１連結装置３１は、装置部品３０に配置された第１装置部品３０の機能性部品４０，４１，４２，４４の電気的な接触を保つのに役立つ。代りに、または特に付加的に、さらなる装置部品５０の接触も装置部品３０の第１インターフェース配列３２を経由して保たれることができる。それらは、付加的な装置部品として、第１装置部品３０に取り付けられる。第１装置部品３０の第２インターフェース配列３７は、第２装置部品５０の第１インターフェース配列５２につなげられ、第１装置部品３０の第２連結装置３６は、第２装置部品５０の第１連結装置５１につなげられる。
【０１０１】
そのようなインターフェース配列２７，３２は、特に、可動性装置２０のそれに連結される装置部品３０への機械的な連結を帯びるような方法で設計され、付加的に、または代わりとしては連結装置２６，３１である。
【０１０２】
付加的に、図２に略図が描かれているように、装置部品２０，３０のさらなるインターフェース配列２９，３５は、可動性装置２０において、代わりまたは追加として設計されることができ、データ、信号および／または電圧供給の伝達を可能にするだろう。個々のインターフェース配列２９，３５はそれにより、電源／電圧供給のための多くのインターフェース接触８０，８３および／または信号／データの伝達のための多くのインターフェース接触８１，８４も特徴づけることができる。
【０１０３】
上記のインターフェース配列およびインターフェース接触に加えて、または代わりに、伝導性のある通り道、または接触領域も可動性装置２０または装置部品３０の（連結された形態であり、お互いの上部に配置されている）表面に延ばされることができる。それらは、その際、お互いの間の表面接触の状態にするだろう。可動性装置２０の可動性装置サイド４６は、そのまわりに延びる全部のまたは部分的な接触ライン８２を特徴づける。お互いに対して連結された形態における可動性装置サイド４６の接触ライン８２との接触のままにするために、第１装置部品３０の第１連結サイド４７は、そのまわりに延びる対応する完全なまたは部分的な接触ライン８５を特徴づける。
【０１０４】
連結された装置部品３０，５０は、好ましくは、処理装置３４，５４をそれぞれ特徴づける。これらの処理装置３４，５４は、それぞれの装置部品３０，５０の部品および機能の独立のおよび完全な制御に役立つ。オプションとして、処理装置３４，５４は単独で支持する機能の性質を帯びることができ、それらの装置部品の部分または全ての部品および機能をもっぱら制御することができ、必要とされるならば、完全なまたは部分的な分析の評価を行うことができる。そのような場合において、処理装置３４、５４は、可動性装置の処理装置２４を支持するために役立ち、可動性装置２０の処理装置２４がそれにより、装置部品３０，５０の部品および機能の全ての制御および評価の性質を帯びることは可能である。装置部品は、それらの部品およびインターフェースに接続するための内部のワイヤー３８，５８も特徴づける。
【０１０５】
図１は、第１装置部品３０は、すでにその第１連結サイド４７が可動性装置２０の可動性装置サイド４６（連結のために回転されている）に連結されている。２つの追加装置部品５０，７０は、下方に存在され、第１装置部品３０の取り替えとして役立ち、すなわち、積み重ねの形態における追加の利用のためになり、それにより、第２装置部品５０は、第１装置部品３０に取り付けられ、第３装置部品７０は、第２装置部品５０に取り付けられる。この理由から、装置部品３０，５０の一部は、２つの連結サイドが備えられる。このようにして、第１装置部品３０において、第１連結サイド４７の反対に配置されたサイドは、第２連結サイド４８として設計される。
【０１０６】
第２連結サイド４８は、好ましくは、可動性装置２０の連結のために設計された可動性装置サイド４６と同等の方法で設計される。しかしながら、示された第２装置部品５０は、その第１連結サイド４９と反対に配置された第２連結サイド６５を特徴づける。第２連結サイド４８，６５は好ましくは、他の装置部品の対応する第１連結配列３１，５１および７１または可動性装置２０のファンクションフリーカバーに連結するために、適合される第２連結装置３６および５６をそれぞれ特徴づける。可動性装置２０のインターフェース配列２７，２９の設計において、第２連結サイド４８，６５は好ましくは、信号、データｄ、電流または供給電圧ｖの伝達のために、第２インターフェース配列３７，３９，５７，５９も特徴づける。
【０１０７】
第２連結サイド４８，６５を有するそのような装置部品３０，５０において、それらのワイヤーおよび／または処理装置３４，５４は、それが追加装置部品５０からデータまたは信号を受け取れるように、可動性装置２０の処理装置２４が好ましくは隣接する連結された装置部品３０だけでなく、それに連結された追加装置部品５０にもアクセスするような方法で、好ましくはスイッチを切り換えられる。
【０１０８】
電圧、電源、電流、データまたは信号は、２つの連結サイド４７，４８，４９，６５および追加装置部品に備えられたこれらの装置部品３０，５０を通して導かれることが特に好ましい。
【０１０９】
このようにして、原則として、図１による提示通りに、その第１連結装置５１および少なくとも第１インターフェース配列５２，５５を有する第２装置部品５０は、第１装置部品３０の第２連結サイド４８に連結されることができ、可動性装置２０との伝達において、スイッチで切り換え可能である。さらに、少なくとも第１連結装置７１および第１インターフェース配列７２を有する第３装置部品は、その第１連結サイド６６が第２装置部品５０の第２連結サイド６５に連結されることがきる。
【０１１０】
それにより、自発的な機能を果たす部品を特徴づけない第３装置部品７０の第１インターフェース配列７２は、ワイヤー接続を閉じるのに役立つことができる。このようにして、例えば、電気を伝導するためにともに接続された第１インターフェース配列７２の２つの接触を経由して、連結された装置部品５０の第２連結サイド４８，６５において、お互い反対に配置された２つの電気的な接触のリング閉鎖の設計のオプションがある。
【０１１１】
第３装置部品は、それが特定の機能を特徴づけないにもかかわらず、可動性装置２０に連結できる覆いカバーの例である。このようにして、カバーは、ダメージから保護するために、可動性装置サイド４６の連結装置２６およびインターフェース配列２７，２９をカバーする。
【０１１２】
装置部品７０は、受動的な部品、例えば、装置部品７０にノートシート７４をジャムするために、機械的な保持要素７３を備えることができる。好ましくは、連結されることができる装置部品は、必要とされるならば、この機能およびハードウェアにより、自発的な機能を帯び、可動性装置２０を拡張する機能性部品４０，４１，４２，４４，６０または６１を特徴づける。
【０１１３】
第１装置部品３０は、メモリーカードスロットとして設計された機能性部品４０を特徴づける。このようにして、可動性装置２０は、ユーザーにより可動性装置２０に記録されたオーディオファイル、ピクチャーファイルおよびフィルムファイルが、後ほど、可動性装置２０でそれらをリプレイするために保存されることができるメモリーにより拡張されることができる。機能性部品４１の追加の典型的な機能は、サブスクライバーアイデンティフィケーションカードスロット４１として役立ち、その結果、ユーザーは、第２サブスクライバーアイデンティフィケーションカードを差し込むことができ、このようにして、可動性装置２０において、異なるユーザーが、代わりに、彼らの確認する情報を使って、インターネットにアクセスしたり、または、電話することができる。オプションとして、第１ネットワークプロバイダーを経由したローコストデータ接続および第２ネットワークプロバイダーを経由したローコスト電話接続を確立することが可能なように、可動性装置２０は、お互いへの同時におよび平行した遠距離伝達ネットワークへのいくつかのアクセスを生み出すことができる。可動性装置２０の操作時間の拡張を可能とすることを目的とし、すなわち、第１装置部品３０の連結により、可動性装置２０に置かれるバッテリー２２を再充電することができるようにするために、機能性部品４２の他の例は、追加バッテリーである。他の実施形態として、追加の機能性部品４４は、銀行またはキャッシュカードのカードリーディング装置が設計される。カードを外側からレセプタースロット４３へ差し込むことを可能にするように、それは、対応するカード４５を受け入れるレセプタースロット４３を特徴づける。銀行またはキャッシュカードの対応するリーディングモジュールおよび／または評価モジュールの形態における実際の機能性部品４４は、レセプタースロット４３の周辺に配置される。
【０１１４】
このようにして、多くのユーザーにとって、第１装置部品３０は、一般的に、可動性装置２０の関心を引き起こす拡張オプションを表す。しかしながら、とてもユーザーに特定である装置部品、カスタマーオーダーの装置部品または個々に設計された装置部品までも供給されることができる。
【０１１５】
このようにして、第２装置部品５０は、例えば、医療の分析部品として設計されている機能性部品６１を特徴づける。それは、テストストライプ６４のためのレセプタースロット６２およびレセプタースロット６２に差し込まれるテストストライプ６４を分析するセンサー６３を供給する。テストストライプ６４は、その上に血液の落下を受け取ることができるストライプを含み、後で、センサー６３の補助物と機能性部品６１のエレクトロニクスにより、血液中の糖の量を決定するだろう。機能性部品６１を支持するために、計算または処理工程の一部が第２装置部品５０の処理装置５４および／または可動性装置２０の処理装置２４により行われる、それらに同様に、適切なソフトウェアおよび／またはドライバーが備えられているからである。
【０１１６】
他の実施形態において、いわゆるＧＰＳ−モジュールのような位置決定装置は、追加の機能性部品６０としてのこのモジュール５０に配置されることができる。この装置部品５０は可動性装置２０の位置を決定することを可能にすることになり、医療の緊急事態において、それは自動的に可動性装置２０の可動性ラジオ機能を経由して助けを呼び、一方、最新の位置データを供給する。
【０１１７】
オプションとして、追加の作動要素３３は、例えば、押しボタン式またはタッチセンシティブの要素が装置部品３０に設計されることができる。このようにして、装置部品は、物理的な操作要素およびアクチュエーター、スイッチおよびボタンも特徴づけることができる。例えば、カード４５がカードリーディング装置のレセプタースロット４３に差し込まれ、一個人の確認番号が確認されるべき時に、手動の確認がそれらにより行われることができる。
【０１１８】
もしそれらが、連結された状況において、視覚的に閉じられたユニットを創作しているならば、特に好ましいことは、可動性装置２０および装置部品３０，５０，７０の実施形態にかなえられている。図１および２は、その連結可動性装置サイド４６とともに一平面に配置された可動性装置２０を示し、第１空間座標ｘ，ｙにより広げられている。同様に、装置部品３０，５０，７０は、この平面に垂直に空間座標ｚとともに一つの方向に、可動性装置２０の連結可動性装置サイド４６に連結されており、装置部品３０，５０の他の一つにおいても同じである。特に、連結可動性装置サイド４６に隣接しており、第３空間座標ｚの一平面に広げられている４つの可動性装置サイド７５は、縦に、整列ラインＦに平行に配置される。同様に、可動性装置２０に連結される装置部品３０，５０，７０の隣接サイド７６，７７，７８も平面に広がり、第３空間座標ｚにより両断される。これらのサイド７６，７７，７８は、対応する連結装置部品サイド、すなわち、装置部品３０，５０，７０の第１連結サイド４７−４９，６５，６６に隣接する。それらの連結サイド４７−４９，６５，６６を備える装置部品３０，５０，７０は、隣接サイド７６，７７，７８が、連結サイド４７−４９，６５，６６のそれらの長さにおいて整列させられ、整列ラインＦに対応して平行して、連結可動性装置サイドに隣接して配置される可動性装置サイド７５に延ばされる大きさであることが好ましい。これは、一般的な設計の好ましい同一平面の外部の周囲という結果となり、その結果、１つまたはいくつかのそのような装置部品３０，５０，７０を追加した後、典型的な長方形の可動性装置２０も長方形の形状を有する一般的な設計を示す。
【０１１９】
構成的な変更の多くの種類は実行されることができる。機能性部品は、全面的に異なる目的を実行でき、例えば、センサーが設計される時、測定を行う。装置部品３０，５０，７０の覆いは、全体的に囲まれる必要がないが、開いていたり、または、部分的に開いているサイドの壁、さらにプラグ、カードおよび同様のもののための潜在的な開口およびスリットを特徴づけることもできる。一つの例において、レセプタースロットがそれに追加される可動性装置の覆いの隣接する壁により、１つのサイドに限定されること、または、隣接して連結された装置部品の補助物とともに設計されることができる。
【０１２０】
図３は、ドッキング、連結および／または可動性装置２０における連結された装置部品３０の活性化の典型的なプロセスである。第１工程Ｓ１において、可動性装置は、それに追加された、または連結された装置部品を収集する。収集は、自動的におよび直接的に、連結する装置部品上で行われることができ、すなわち、すでに連結された装置部品の場合において、可動性装置において適切なソフトウェアを活性化することにより行われることができる。
【０１２１】
次の工程Ｓ２において、装置部品の装置部品の機能に対するソフトウェアは、可動性装置の処理装置または装置部品の処理装置において始められる。
【０１２２】
工程Ｓ３において、可動性装置とその処理装置がそれを始めた後に、装置部品の適切な装置部品機能が実行される。工程Ｓ４に示されるように、他の実施形態において、装置部品機能も、装置部品への手動の加入において、装置部品で行われることができる。装置部品が、工程Ｓ５において信号および／またはデータ収集を行うモジュールまたは装置を備えられるため、それは、１回または連続的な基準において、信号および／またはデータを収集できるように、活性化されることができる。収集された信号またはデータ、または装置部品により供給された他の信号またはデータは、少なくとも部分的に、工程６において装置部品におけるデータ処理にさらされるだろう。しかしながら、代わりとして、可動性装置の処理装置が完全に処理できた。
【０１２３】
工程Ｓ７において、収集された信号またはデータを送るように、装置部品から可動性装置へのデータ移動が行われるだろう、または、さもなければ装置部品により可動性装置に供給される。特定のオプションが工程Ｓ８で供給され、それは、可動性装置から、ラジオインターフェースまたは可動性ラジオシステムを経由して遠く離れて到達可能な他の装置への外部データ移動を行う。後で、検索工程Ｓ９が行われることになり、それは、処理が連続的に行われるべきか否かチェックすることになる。もし、「はい」ならば、装置部品機能の実行のため、それは工程Ｓ３，Ｓ４に戻るだろう。もし、「いいえ」ならば、装置部品およびその機能は、工程Ｓ１０において可動性装置から離されるだろう。それにより、ソフトウェアアクセスまたはデータ交換に関しては、特に、データワイズに分離が実行されることができる。
【０１２４】
装置部品における部分的なデータ処理の後、工程Ｓ１１において、戻る検索も供給されることができる。また、そのような工程を戻ることや、飛び越えて戻ることは、工程Ｓ１２で供給されることができ、それは、装置部品から可動性装置へのデータ移動の次に来る。
【０１２５】
特に、データ処理を伴う工程Ｓ６は、有利に修正できる。可動性装置において処理装置の補助物を有する装置部品の部分的なまたは完全なデータ処理および機能性部品の制御は、技術的に単純な装置部品の供給の状態にし、それは、最も必要な機能性部品およびインターフェースのみを著しく特徴づける、ソフトウェア−アルゴリズムの計算および実行が可動性装置の存在する処理装置において実行されることができるためである。
【０１２６】
可動性装置は、適切なドライバーおよび／またはソフトウェアを必要とし、それは、可動性の処理装置が装置部品を制御すること、および／または、その中の機能性部品を制御すること、および／または、もし存在するならば、装置部品の処理装置を制御すること、および／または、特定の測定およびお互いの間のデータおよび／または信号の交換を行うために、装置部品の機能性部品および機能に適合される。可動性装置のためのそのようなドライバーおよび／またはソフトウェアの供給は、図４による典型的なプロセスに基づき記載されている。
【０１２７】
図４の工程Ｓ１において、可動性装置は、装置部品において装置部品および機能性部品のような取り付けられた追加の部品を収集し、それにより、それは自動的にまたはユーザーの指示に基づいて実行されることができる。
【０１２８】
後の工程Ｓ２０は、可動性装置、装置部品および装置部品における機能性部品の間の電気的な、信号ワイズなおよび／またはデータワイズな接続を活性化するために使われる。装置または機能の調査は、自動的に行われることができ、ユーザーがフォーカスされた選択をできるように、それは、少なくとも１つの装置部品における対応する特性を調査し、その際、自動的に適切なドライバーをインストールし、または、ドライバーの選択を知らせる。
【０１２９】
後の検索工程Ｓ２１の間、可動性装置において、連結された装置部品／機能性部品またはその特定の選択された機能に、適切なソフトウェアまたは適切なドライバーが利用可能か否か確かめられる。もし、「はい」ならば、それは、図３による第２工程Ｓ２に前進することになり、それは、可動性装置の機能の実行のためのソフトウェアが可動性装置処理装置において、またはそれにより始められる。
【０１３０】
もし、「いいえ」ならば、適切なソフトウェアおよび／または適切なドライバーが、後の工程Ｓ２２において、可動性装置にロードされるだろう。ドライバーおよび／またはソフトウェアのロードは、可動性装置と装置部品の間のインターフェース配列を経由して、特に、装置部品のメモリーからまたはその機能性部品から直接的に行われることができる。同様に、そのようなドライバーおよび／またはソフトウェアのインストールは、装置部品または機能性部品と可動性装置の初期の連結の間、実行されなければならない。可動性装置の装置部品をサービスの状態にするように、これは、別個に供給されたデータを対応するドライバーまたはソフトウェア、またはネットワークおよび／またはソフトウェアからダウンロードされたドライバーとともに運ぶことを不必要にする。
【０１３１】
後の活性化が実行される時、可動性装置におけるソフトウェアおよび／またはドライバーが十分に最新の情報を取り入れていることを保証することが好ましい。これは、連結されたネットワークおよび／または可動性ラジオシステムによる適切な接続を作る可動性装置を有することにより、ネットワーク、例えばインターネットにおいて、適切なメモリーにアクセスすることにより特に可能である。
【０１３２】
後のセクション工程２３において、ソフトウェアおよび／またはドライバーは可動性装置にインストールされることになり、それとともに、可動性装置のユーザーに利用可能になることになる。プロセスはその際、図３による第２工程Ｓ２に前進するだろう。
【０１３３】
特に、潜在的に高い性能の処理装置とともに、装置部品を利用する時、機能および処理も可動性装置の処理装置から装置部品の処理装置に運ばれることができる。装置部品の処理装置および可動性装置への後の伝達により、装置部品において供給された信号および／またはデータを処理することは有利であり、その結果、連結された装置部品におけるとても速い処理の後、可動性装置の処理装置は、最後の処理および、もし必要とされるならば、より低い処理装置の電力使用とともに評価を行うことができる。
【０１３４】
実現されることができる追加の変更は、装置部品における空間的な配置が、様々な部品が様々な方法で利用されることができるように供給される。これは、装置空間および／または外部の装置部品のセクションをただ使用するだけの多くのセンサーおよび機能が、１つの装置部品の間に配置されることを可能にする。
【０１３５】
モジュールの形態で設計された装置部品は、例えば、多くのプラグインスロットを供給することができ、それは、センサー、アクチュエーター、バッテリーおよびプラグインされ、最終的に取り外される他の機能性要素を有することができる。この目的において、必要とされるならば、プラグインスロットは、１つの大きなプラグインスロットが、お互いの次のまたは上部の多くの部品にプラグインして用いられることができる設計がなされることができる。これは、特に、プラグドイン部品の幾何学的なおよび電気的なインターフェースを決定する状態にでき、その結果、再分割が、１／２＋１／２または１／２＋１／４＋１／４空間割合の状態になる。もし、操作がされている間でさえも必要とされるならば、好ましくは、そのような実施形態も特に個々の部品の取り替えの状態にするべきである。
【０１３６】
装置部品の概念は、バッテリー、ＳＩＭカード、ＳＤカードなどにアクセスするために、取り外せる背面カバーを有するいわゆるスマートフォンの大多数のアイディアを要する。それとともに、もし、可動性装置の内部に、エネルギーおよび／または伝達インターフェースが備えられていれば、望まれるいくつかのハードウェア拡張を有する装置部品が背面カバーの代わりに可動性装置に連結されることができる。それは、可動性装置に、より厚くなることをもたらしたが、可動性装置は、さもなければ、装置部品とともに型に入れられて、特にシームレスユニットが作られる。このようにして供給されたハードウェア拡張は、オプションとして、燃料電池または医療のアプリケーションのための特別なセンサーからのレンジのようなエネルギー源の追加のバッテリー、ドメインのための機能性機器または機能性部品および／またはクレジットカード読み取り装置を有するクレジットカード端末、指紋スキャナーおよび統合されたプリンターと同等の機能性部品の産業のアプリケーションのすべての方法により供給される。
【０１３７】
このように、装置部品は、特に、可動性装置のハードウェア拡張であり、それにより、可動性装置は、スマートフォン、携帯電話、タブレットコンピューター、ラップトップ、または他の携帯装置の性質を帯びることができる。装置部品は特に、１つまたはいくつかの処理装置、機能、センサー、アクチュエーター、および／または伝達インターフェースのユニットを含む。
【０１３８】
特に、装置部品は、可動性装置に利用されるために取り付けられることができ、その上部に配置されることができ、追加されることができ、またはそれに連結されることができ、その際に、それから取り外されることができる。取り付け、その上部への配置、追加されまたは連結された後、装置部品は可動性装置を有する１つのユニットを表し、それにより、装置部品は好ましくは、可動性装置の縁より一部外にはみ出ないべきであり、装置部品は好ましくは可動性装置を取り囲まず、または部分的にだけ取り囲む。装置部品は最終装置とともに、視覚的におよび機械的に、しかし、特にシームレスに統合されることができる。
【０１３９】
他の実施形態において、連結された形態における装置部品は、可動性装置の少なくとも２または３のサイドを少なくとも部分的に、可動性装置をカバーし、または取り囲む。
【０１４０】
このように、連結装置は、クリップとして設計されることができ、取り付けられていない、または固定していない時は、独立した部品を表し、それが連結された形態にある時は、装置部品と同様に可動性装置を取り囲み、このように、それらを機械的に固定する。可動性装置の覆いの一部またはより好ましくは装置部品の覆いの一部に強固に固定され、連結された形態において、隣接する部品、隣接する可動性装置およびさらなる装置部品も取り囲み、および固定する。
【０１４１】
特に、そのような実施形態において、可動性装置または隣接する装置部品の追加のサイドも、可動性装置のさらなるサイドまたは隣接する装置部品に設計されたインターフェース配列との接触を保つインターフェース配列を特徴づける。追加のサイドはそれにより、例えば、可動性装置の細い端の壁になり、および、追加のサイドは、特に、可動性装置のサイドまたは連結サイドに隣接し、それは比較できるほどに大きい。
【０１４２】
まだ他の実施形態として、可動性装置２０と装置部品３０の間の機械的に頑丈な接続を成し遂げるように、連結装置は、お互いに連結された部品の間にもっぱら隠されている必要はなく、しかし、可動性装置および追加の装置部品の外壁のサイドに目に見えるクリップとして設計されることもできる。代わりの、または追加の実施形態も、磁気的な連結要素の形態における連結装置を供給できる。
【０１４３】
さらなる実施形態において、装置部品は可動性装置から別個に使われることもできる。可動性装置の後の連結および／または遠隔のステーションに送られた後、装置部品は、独立の測定および医療の測定値のようなその測定値が、さらに処理されることができる。参照番号のリストを以下の目録に示す。
１０  可動性装置および装置部品のシステム
２０  可動性装置
２１  ディスプレイおよび／または操作装置
２２  バッテリー
２３  ＩＤカードスロット
２４  処理装置
２５  ワイヤー
２６  可動性装置の連結装置
２７  インターフェース配列、特にプラグ
２８  ワイヤー
２９  可動性装置のインターフェース配列
３０  第１装置部品
３１  装置部品の第１連結装置
３２  装置部品の第１インターフェース配列
３３  作動要素
３４  処理装置
３５  装置部品の第１インターフェース配列
３６  装置部品の第２連結装置
３７  装置部品の第２インターフェース配列
３８  ワイヤー
３９  装置部品の第２インターフェース配列
４０  機能性部品、特にメモリーカードスロット
４１  機能性部品、特にＩＤカードスロット
４２  機能性部品、特に追加のバッテリー
４３  カードのレセプタースロット
４４  機能性部品、特にクレジットおよび即決決済カードのカード読み取り装置
４５  カード、特に即決決済カード
４６  可動性装置のサイド
４７  第１連結サイド
４８  第２連結サイド
４９  第１連結サイド
５０  第２装置部品
５１  装置部品の第１連結装置
５２  装置部品の第１インターフェース配列
５４  処理装置
５５  装置部品の第１インターフェース配列
５６  装置部品の第２連結装置
５７  装置部品の第２インターフェース配列
５８  ワイヤー
５９  装置部品の第２インターフェース配列
６０  機能性部品、特に位置決定装置
６１  機能性部品、特に医療の分析部品
６２  テストストリップのためのレセプタースロット
６３  センサー、特に血液分析センサー
６４  血液分析のためのテストストリップ
６５  第２連結サイド
６６  第１連結サイド
７０  第３装置部品、特にカバー
７１  装置部品の第１連結装置
７２  装置部品の第１インターフェース配列
７３  機械的な保持要素
７４  ノート
７５  可動性装置の連結サイドに隣接する可動性装置サイド
７６  装置部品の連結サイドに隣接するサイド
７７  装置部品の連結サイドに隣接するサイド
７８  装置部品の連結サイドに隣接するサイド
８０  電源／電圧供給のためのインターフェース接触
８１  信号／データ伝達のためのインターフェース接触
８２  接触ワイヤー
８３  電源／電圧供給のためのインターフェース接触
８４  信号／データ伝達のためのインターフェース接触
８５  接触ワイヤー
Ｄ  データ、各信号
Ｖ  電圧供給
ｘ，ｙ，ｚ  空間座標
Ｆ  整列
Ｓ１−Ｓ１２，Ｓ２０−Ｓ２３  処理工程
本発明のアダプターの典型的な実施形態
【０１４４】
他の実施形態において、本発明は、電子伝達装置のためのアダプターである。アダプターが電子伝達装置に連結される時、このアダプターは、電子伝達装置に追加の機能を行わせることを可能とする。
【０１４５】
図５ａ〜５ｂを参照すると、この実施形態によれば、アダプターは、電子伝達装置にフレーム１０４を連結するための固定メカニズムとしての働きをする２つの反対の端におけるクリップ（図示せず）を有するフレーム１０４を有する。フレーム１０４の一端からフレーム１０４の反対の端まで拡張しているフレーム１０４の中央に、突起１１４がある。フレーム１０４は多数のドッキング領域１０６を有する。この実施形態において、８つのドッキング領域がある。４つのドッキング領域１０６は、突起１１４の各サイドから拡張している。各ドッキング領域１０６は、定着メカニズムとして働く突起１１４から垂直に拡張している２つのレール１０８により明確にされる空間１１２の２つのサイドを有する空間１１２を有する。各レール１０８は、ドッキング領域１０６のレール１０８とベース１０９の間に供給されたスロット１１１を有する。ピンコネクター１１０の形態における４つの電気的相互連結サイトは、突起１１４の各サイドにおける長さに沿って均一に配置される。ドッキング領域１０６の空間１１２は全て、同じ大きさおよび形状であり、相対的な大きさは、説明の明快さのために、図５ａにおいて、点線の囲みにより示されている。
【０１４６】
図６ａおよび６ｂは、覆い１１８、取り付けメカニズムとして働く２つのサイドに沿って配置された２つの出っ張り１１７およびレール１０８に対して相補的な形状を有する２つの溝１１６を有するパッケージ１０２の一例を示す。スロット１１１は、パッケージ１０２がドッキング領域１０６に、しっかりと固定されるように、レール１０８に沿ってスライドされることができるように、出っ張り１１７に相補的である。図６ｂも接続インターフェース１２０を有するパッケージ１０２を示す。接続インターフェース１２０は、フレーム１０４のピンコネクター１１０の電気的な接続のための多数の金属穴を含む。レール１０８、溝１１６および出っ張り１１７の間を相補的に固定する補助物およびピンコネクター１１０と接続インターフェース１２０の間の接続において、パッケージ１０２は、ドッキング領域１０６にしっかりとドッキングされることができる。パッケージ１０２のこのタイプは、説明の容易さのために単独で参照される。
【０１４７】
図７は、そのはめられた状態におけるアダプター１００を示す。アダプター１００は、８つのパッケージ１０２に組み込まれたフレーム１０４により構成される。パッケージ１０２のいくつかは、その覆い１１８に電子部品を含み、それは、電子伝達装置において望まれる機能を可能にする。そこに、電子部品を有するパッケージ１０２は、電子パッケージまたは自発的なパッケージと呼ばれる。ドッキング領域１０６の最大数まで、異なる電子パッケージをフレーム１０４に差し込むことにより、ユーザーは異なる機能を追加することができる。しかしながら、ユーザーはちょうど１または２の追加の機能が必要かもしれない。アダプターの完全を保つため、溝１１６、出っ張り１１７および連結インターフェース１２０のみを有するが、機能を果たすエレクトロニクスがないパッケージ１０２が使用されることができ、パッケージ１０２のこのタイプは、ダミーパッケージまたは受動的なパッケージと言う。
【０１４８】
一般的に、複合の機能を実現するために、より多くの電子部品が、機能および様々な電子部品の間の相互連結が比較的に複雑になることを実行するために必要とされるかもしれなく、パッケージ１０２がより大きいサイズになる結果となる。より大きな総計の電子部品を覆うために、パッケージ１０２は、多様の予め決定された大きさおよび予め決定された形状の大きさおよび形状であり、例えば、単独の大きさの２倍、３倍または４倍のパッケージである。代わりに、パッケージ１０２はその性質のため、単純に大きいサイズであることができ、例えば、バッテリーパッケージは、単独の大きさの２倍または３倍を有してよい。２倍のパッケージ１０２の例が、図８ａ，ｂおよびｃに示されており、それは単独の大きさおよび形状それぞれに、２倍、３倍および４倍である。パッケージ１０２の真ん中の点線は、単独の大きさを指し示すためのみに使われている。このパッケージ１０２は、ピンコネクター１１０を連結するための２つの接続インターフェース１２０を有する。説明の容易さのために、単独の容積、形状および大きさは、“空間ユニット”と言われる。多数の空間ユニットのパッケージは、多数の大きさに等しい容積を有するパッケージに関係し、一方、形状はちょうどレゴセットのように単独で組み立てられるが、異なるサイドにおいて拡張されることができる。
【０１４９】
使用において、ダミーパッケージを有するフレーム１０４はアダプター１００として利用されることができる。使用の時、ユーザーは、追加の機能を電子伝達装置に追加するために、電子伝達装置にアダプター１００をスナップすることができる。図９を参照すると、フレーム１０４の前方サイドは、スナップされるための電子伝達装置の特定のタイプのための特定の大きさを有するサイト１２４を有する。サイト１２４は、電子伝達装置の異なるタイプ／モデルによって、異なる大きさおよび形状になることができる。フレーム１０４が電子伝達装置に伝達できるように、およびフレーム１０４にドッキングされたパッケージ１０２と電子伝達装置の間の最終的な伝達が確立できるように、フレーム１０４も、フレーム１０４が電子伝達装置に電気的に接続するための接続モジュールとして働く電気的なコネクターを有する。電気的なコネクターは、電子伝達装置により使われるインターフェースによって、マイクロＵＳＢコネクター、３０−ピンドッキングコネクター、ライトニングコネクター、２４−ピンドッキングコネクターおよびポータブルデジタルメディアインターフェースなどであることができる。フレーム１０４において、電気的なコネクターの使用はオプションである。もし、電気的なコネクターが使用されないならば、フレーム１０４は電子伝達装置とともにワイヤレス伝達を確立するためのワイヤレス機器とともに取り付けられるだろう。ワイヤレス伝達は、接続モジュールとして働くＢｌｕｅｔｏｏｔｈ、Ｎｅａｒ  Ｆｉｅｌｄ  Ｃｏｍｍｕｎｉｃａｔｏｎ（ＮＦＣ）、Ｚｉｐｂｅｅ、ＷｉＦｉまたは赤外線などで達成されることができる。ワイヤーの手段またはワイヤレスの手段のどちらかにより、いったんフレーム１０４と電子伝達装置の間の伝達が確立すると、フレーム１０４がドッキングされたパッケージ１０２および電子伝達装置はお互い伝達できる。好ましい実施形態において、電子パッケージがすぐにフレーム１０４を経由した電子伝達装置の連結に機能できるように、電子パッケージ、いわゆる電子部品を有するパッケージ１０２は、共存できるソフトウェアドライバー（今後はドライバーという）がインストールされる。他の実施形態において、電子パッケージはドライバーが予めインストールされず、電子伝達装置はインターネットから、または外部の装置を通じて適切なドライバーをダウンロードする必要がある。他の実施形態において、電子パッケージは、処理装置が備えられておらず、電子パッケージのこの種類は、電子伝達装置に付け足すハードウェアとして役立つ。電子パッケージのこの種類は、電子伝達装置の処理装置による制御の下にあり、望まれる機能を実現するために、電子伝達装置の処理装置から指示を受けることになっている。まだ他の実施形態において、電子パッケージは処理装置が備えられており、独立して、電子伝達装置の処理装置の望まれる機能を行うことができる。もし、より多くの機能が電子伝達装置の処理装置により行われなければならないならば、電子伝達装置の処理速度が遅くされることになることは明らかである。もし、電子パッケージがそれらの処理装置を有し、独立して行うことができれば、それらは、電子伝達装置の処理電力を引き��す必要がないかもしれなく、それゆえに、後者はまだ円滑に行うことができるが、追加の機能を行うことができる。電子パッケージの機能が使われない時、電子パッケージの処理装置は、電子伝達装置の第２処理ユニットまたはコプロセッサーとして役立つことができ、このように、より良い性能という結果となる。一方、電子パッケージの処理装置および電子伝達装置の処理装置は追加の機能を協同的にともに行うために働くために、プログラムされることができ、このようにして、全部の処理の速度を増す。
【０１５０】
さらなる実施形態において、本発明は確認システムを利用する。電子伝達装置が、そこへつなげられた各電子パッケージを確認できるように、各電子パッケージは、独特の固有の番号を有する。一実施形態において、独特の固有の番号はインターネットのラジオ装置を確認するために使われるＭＡＣ番号と同等であり、フレーム１０４も電子伝達装置により承認される独特の確認番号を有する。確認システムとともに、電子伝達装置は、異なる電子パッケージに選択して伝達でき、正確に対応する電子パッケージに指示を送ることができる。確認システムは、異なる電子パッケージとフレーム１０４の間の情報交換も促進する。いったんアダプターが電子伝達装置に連結されると、フレーム１０４および電子パッケージの確認番号は、電子伝達装置により識別され、蓄えられ、異なる電子パッケージ、フレーム１０４または電子伝達装置の間のデータ交換の容易さのために、異なる電子パッケージにより収集されたデータは、固有の番号に関係させられる。
【０１５１】
ユーザーに必要とされるように、異なる機能を有する異なるパッケージ１０２は、フレーム１０４に差し込まれることができる。もし、全てのドッキング領域１０６が、電子パッケージで満たされていなければ、ダミーパッケージは残っているドッキング領域１０６を満たすために使われることができる。ユーザーが新しい機能を追加したい時は、ダミーパッケージは、電子パッケージにより取り替えられることができる。さらに、自発的なパッケージおよび受動的なパッケージは交換可能である。もし、特定の機能が、これ以上望まれないならば、特定の機能を有する電子パッケージは、異なる機能の他の電子パッケージにより取り替えられることができる。フレーム１０４の電気的相互連結サイトは、お互いに相互連結される。これは、ドッキング領域１０６にドッキングされた様々な電子パッケージの間のダイレクション伝達およびデータ交換の状態にする。気候分析のようないくつかの特定の機能は、分析を完全にするために、例えば温度、湿度および圧力などの異なるデータが必要かもしれない。電子パッケージは１つの分析機能のみを有していてもよい。気候分析を行うために、異なるセンサーを有する他の電子パッケージは、必要なデータを集めるために使われることができる。分析システムは、分析機能を有する電子パッケージおよび異なるセンサーを有する電子パッケージを組み合わせることにより構成される。様々な電子パッケージをともに組み合わせおよびつなげることにより、異なる複合の機能が達成されることができる。これは、単独の大きさの２倍、３倍または４倍にすることとは別の複合の機能を実行するための他の方法である。
【０１５２】
他の実施形態において、電子パッケージは電子部品のみを有するが、電力供給を有しなく、このように、電子パッケージは電気的に電子伝達装置により動かされる。まだ他の実施形態において、フレーム１０４は電源供給を含み、電子パッケージは電気的にフレーム１０４により動かされるだろう。まだ他の実施形態において、電子パッケージは、他の電子パッケージへの電源供給および電子伝達装置への追加の電源供給として役立つ外部のバッテリーである。
【０１５３】
電子パッケージの機能は、ユーザーを含んで選択されることができるが、血液に関する測定、カードリーディング、息および／または血液のアルコール分析、物理的および／または化学的な値の探知および分析、電気的な測定、温度測定、圧力測定、ガス測定、湿度および／または液体探知、画像発生、データ暗号文、データプリント、指紋スキャン、加速測定、凹凸測定、位置測定、配置および／または距離測定、光フラッシュ、レーザー放出などに限定されない。
【０１５４】
収集されたデータが人間のふるまい、環境上の研究、将来の傾向の予報および決定の作成などに使われることができるため、最近では、データ収集は重要である。様々なセンサーを有するパッケージ１０２は、データを記録することができ、およびそれら自身のメモリーにデータを蓄えることができる。パッケージ１０２のデータは、安全の理由のため、暗号化される。たとえ、パッケージ１０２が、電子伝達装置に接続されていても、そこに蓄えられたデータは、電子伝達装置によりアクセスされることができない。このセッティングはあらかじめセットされており、権限を与えられた一個人または製造業者により供給されたセキュリティキーを経由して変えられてもよい。もし、ユーザーがデータにアクセスすることの権限を与えられたら、彼／彼女は、電子伝達装置にデータをコピーできる。もし、電子伝達装置がインターネットにアクセスできるならば、データは分析または後の操作のために中央に集められたサーバーにアップロードされることができる。一例として、電子パッケージは、ユーザーの生理学上のデータまたは近くの環境上のデータを集めるために使われることができる。もし、ユーザーが健康を増進させるまたは環境上の汚染レベルを測定するならば、集められたデータは、チェックする目的または分析の目的のために、クラウドサーバーにアップロードされることができる。データも異なる組織の間において共有されることができるが、もし、一個人が開示することを選ばなければ、一個人の情報は開示されていないだろう。もし、ユーザー／一個人がそれらが開示されることを選んだら、一個人の情報は開示されるだろう。
異なる構成のアダプターの他の典型的な実施形態
【０１５５】
図１０，１１ａおよび１１ｂは、この発明の他の実施形態によるアダプター１００の異なる構成を示す。このアダプター１００のフレーム１０４は、その間に拡張している２つの平行な平らなパネルにより接続された反対の端の一部を有する。空の領域１３４は、２つのパネルの間に供給される。頑丈な要素１３６は、第１パネルとして働き、その１つが図１１ａにおいて、点線の長方形で示される多数の空間１１２の２つの端を横切って延びる。各空間１１２の中心において、金属接触１２６は電気的相互連結サイトとして働く。第２パネルは、支柱１４０およびその間に穴を定めている支柱１４０から均等に拡張している多数のリブ拡張１４２を有するフィッシュボーン１２５の一般的な形状に形作られている。各空間１１２の間の真ん中において、平行に延び、リブ拡張１４２に直接的に反対する頑丈な要素１３６の縁に、レールが供給される。穴と金属接触１２６の間の空の空間は、一般的にドッキング領域１０６の位置を定める。この構成の有利な点は、４つの空間ユニット（突起の１つのサイドにおいて、４つのドッキング領域のみが利用可能）より多くの多数のパッケージを有することが可能であるということである。たとえば、それは、ユーザーに、図１０，１１ａおよび１１ｂの構成を使う８つの空間ユニットまでパッケージを使うことを可能にする。
【０１５６】
図１２ａおよび１２ｂにおいて示すように、この実施形態において、覆い１１８を有するパッケージ１０２も、取り付けメカニズムとして働く２つのサイドに沿って配置される２の出っ張り１１７とレール１０８に相補的な形状を有する２つの溝１１６を有する。しっかり固定されるようになるために、パッケージ１０２がレール１０８に沿ってドッキング領域１０６にスライドされることができるように、スロット１１１は、出っ張り１１７に相補的である。
【０１５７】
図１３ａおよび１３ｂを参照すると、パッケージ１０２の底部サイドにおける接続インターフェース１２０は、ドッキング領域１０６の金属接触１２６と電気的な接続のための相補的な金属接触である。フィッシュボーン１２５がちょうどフラットカバーであるように、よりしっかりとパッケージ１０２を固定するために、パッケージ１０２の端サイドは穴１３０と外へ向かい、端サイドの表面に垂直に拡張する棒１３２を有することができる。他のパッケージ１０２は、同じ穴１３０と棒１３２を有することができるが、これらの２つのパッケージ１０２がともに差し込まれた時にしっかりと固定して構成できるように、その位置が交換されている。
【０１５８】
機械的な構成の相違に追加して、この実施形態におけるアダプター１００は、前の実施形態に記載されたのと同じ機能および使い方を有する。対応する説明はここでは繰り返されない。
【０１５９】
本発明の典型的な実施形態は、このように十分に記載されている。特定の実施形態を参照する説明にもかかわらず、本発明が、これらの特定の細部のバリエーションとともに実行されてもよいことは当業者には明らかであろう。それゆえに、この発明は、この前記の実施形態に限定されるように解釈されるべきではない。
【０１６０】
例えば、ドッキング領域１０６の数は、典型的な実施形態において８であるが、必要性と使い方によって、例えば２、３、４、５、６、７、８、１２、１６などのいずれかの数になることができることは明らかである。パッケージ１０２もパラメーターを表示するために、その上にディスプレイユニットを有することができる。一般的に、単独のものの２倍の大きさのパッケージ１０２は、２つの接続インターフェース１２０を有し、単独のものの３倍の大きさのパッケージ１０２は３つの接続インターフェース１２０を有する、などである。しかしながら、接続インターフェース１２０の数は変えられることができる。例えば、単独のものの４倍の大きさのパッケージ１０２は、１，２，３または４の接続インターフェース１２０を有することができる。接続インターフェース１２０の多様性の必要性は、パッケージ１０２の電子機能および必要性に依存し、それゆえに、製造業者により決定されることができる。
【０１６１】
さらに、フレーム１０４の固定メカニズムはオプションであり、フレーム１０４は、完全に電子伝達装置から分離されることができ、フレーム１０４と電子伝達装置の間の伝達は、ワイヤーおよびワイヤレス手段の両方により達成されることができる。
【０１６２】
さらに、レールは前記の実施形態におけるドッキング領域の定着メカニズムとして使用される。しかしながら、例えば、磁気のカプラーおよび気体のカプラーといった他の手段も用いられることができた。さらに、円形のピンを有するピンコネクターは、前述の実施形態において、ドッキング領域の電気的相互連結サイトとして用いられる。例えばピンの他の形状／ピンホール、ピンスティックおよびカードエッジコネクターを有するピンコネクターといった他のコネクターも使われることができた。
【０１６３】
さらに、上記の実施形態において言及されているパッケージは、形状において四角である。しかしながら、他の形状、例えば平行四辺形および三角形のパッケージを製造することは当業者によって明らかである。例えば定着メカニズムおよび電気的相互連結サイトといったアダプターの他の要素が、使用されるパッケージによってその幾何学様式および向きを調整することも明らかである。さらに、アダプターは電子伝達装置のいずれかの一部に連結するために、採用されることができるが、好ましくは、電子伝達装置の背面である。
【図１】
2016540303.tif 000003
【図２】
2016540303.tif 000004
【図３】
2016540303.tif 000005
【図４】
2016540303.tif 000006
【図５ａ】
2016540303.tif 000007
【図５ｂ】
2016540303.tif 000008
【図６ａ】
2016540303.tif 000009
【図６ｂ】
2016540303.tif 000010
【図７】
2016540303.tif 000011
【図８ａ】
2016540303.tif 000012
【図８ｂ】
2016540303.tif 000013
【図８ｃ】
2016540303.tif 000014
【図９】
2016540303.tif 000015
【図１０】
2016540303.tif 000016
【図１１ａ】
2016540303.tif 000017
【図１１ｂ】
2016540303.tif 000018
【図１２ａ】
2016540303.tif 000019
【図１２ｂ】
2016540303.tif 000020
【図１３ａ】
2016540303.tif 000021
【図１３ｂ】
2016540303.tif 000022
【手続補正書】
【提出日】平成27年4月29日(2015.4.29)
【手続補正１】
【補正対象書類名】特許請求の範囲
【補正対象項目名】全文
【補正方法】変更
【補正の内容】
【特許請求の範囲】
【請求項１】
電子伝達装置のためのフレームを含むアダプターであって、
前記フレームは、
（ａ）前記フレームと前記電子伝達装置を接続するための接続モジュールおよび
（ｂ）前記フレームに配置された多数のドッキング領域を含み、
各前記ドッキング領域は、
（ｉ）予め決められた大きさおよび予め決められた形状を有する空間ユニットを有する空間と、
（ｉｉ）定着メカニズムと、
（ｉｉｉ）電子的相互連結サイトと、を含み、
前記空間は、前記定着メカニズムを経由して前記フレームとドッキングするための取り付けメカニズムを有するパッケージを受け取るために適合され、
前記パッケージは前記空間ユニットの少なくとも１つの大きさおよび形状を有し、
前記パッケージが前記ドッキング領域にドッキングされる時に、前記電気的相互連結サイトは、前記パッケージと連結するために構成され、
前記接続モジュールは、前記パッケージと前記電子伝達装置の間の接続インターフェースを確立するために構成され、
前記アダプターは前記パッケージの普遍的なドッキングを供給し、それにより、ユーザーが、少なくとも１つの望まれる機能を前記電子伝達装置に追加することを可能にするアダプター。
【請求項２】
前記フレームはさらに、前記アダプターを前記電子伝達装置に連結するために構成された固定メカニズムを含む請求項１に記載のアダプター。
【請求項３】
前記接続モジュールは電気的コネクターまたはワイヤレス接続モジュールであり、
前記ワイヤレス接続モジュールはＢｌｕｅｔｏｏｔｈモジュール、Ｚｉｐｂｅｅモジュール、ｎｅａｒ  ｆｉｅｌｄ伝達モジュール、Ｗｉ−Ｆｉモジュールまたは赤外線モジュールである請求項１に記載のアダプター。
【請求項４】
前記フレームはさらに、
（ａ）前記フレームの一端から前記フレームの反対の端まで拡張している突起および
（ｂ）前記突起から垂直に拡張している多数のレールを含み、
２つの連続したレールが前記空間の２つのサイドを定めており、前記ドッキング領域の前記定着メカニズムとして働く請求項１に記載のアダプター。
【請求項５】
前記電気的相互連結サイトが前記突起の長さに沿って配置されており、
各前記相互連結サイトはさらに少なくとも１つの電気的コネクターを含み、
各前記パッケージはさらに前記電気的コネクターに連結するために構成された金属部分を含む請求項４に記載のアダプター。
【請求項６】
前記電気的コネクターはカードエッジコネクター、スライダーコネクター、ピンコネクターおよびフラットコネクターからなる群から選ばれる請求項５に記載のアダプター。
【請求項７】
前記フレームはさらに、
（ａ）前記フレームの一端から前記フレームの反対の端まで拡張された第１フラットパネルおよび
（ｂ）前記第１フラットパネルに配置された多数の金属接触部分を含み、
前記金属接触部分は前記ドッキング領域の前記電気的相互連結サイトであり、前記定着メカニズムは前記第１フラットパネルに配置される請求項１に記載のアダプター。
【請求項８】
前記定着メカニズムはレール、気体コネクターおよび磁気コネクターからなる群から選ばれる請求項７に記載のアダプター。
【請求項９】
さらに前記第１フラットパネルに平行な第２フラットパネルを含み、
前記ドッキング領域は前記第１フラットパネルと前記第２フラットパネルの間の空の空間の部分である請求項７に記載のアダプター。
【請求項１０】
前記第２フラットパネルはフィッシュボーンの一般的な形状である請求項９に記載のアダプター。
【請求項１１】
フレームの多数のドッキング領域の少なくとも１つに連結するために適合されたパッケージであって、前記フレームは、電子伝達装置に接続されることが可能なアダプターの一部であり、少なくとも１つの望まれる機能を前記アダプターを経由して前記電子伝達装置に追加する能力があり、各前記ドッキング領域は予め決められた大きさおよび予め決められた形状を有する空間ユニットを有する空間を有し、前記パッケージは、
（ａ）前記フレームの前記少なくとも１つのドッキング領域に連結するための取り付けメカニズムを含む覆い、
（ｂ）前記望まれる機能を実現するための前記覆いの内側に収容された電子部品および
（ｃ）前記パッケージが前記フレームに電気的に接続するための接続インターフェースを含み、
同じフレームが様々な機能を有する多様な大きさの異なる前記パッケージに使われることになる状態により、最大限の柔軟性を供給するために、前記電子部品の異なる容積および総計がそこに収容されることができるように、前記覆いは、少なくとも１つの前記空間ユニットの大きさおよび形状を有するパッケージ。
【請求項１２】
さらに、前記電子部品を制御するために構成された処理装置を含み、
前記パッケージの前記処理装置は、ユーザーとの相互作用のために前記電子伝達装置の手段を使うことにより、前記望まれる機能を実現するための前記電子伝達装置の処理装置を独立して動かすために構成されている請求項１１に記載のパッケージ。
【請求項１３】
前記電子部品の制御は、前記電子伝達装置の前記処理装置および前記パッケージの前記処理装置の間でスイッチで切り換え可能である請求項１２に記載のパッケージ。
【請求項１４】
前記電子伝達装置または前記パッケージの前記望まれる機能の異なる仕事の処理時間の速度を上げるために、前記電子伝達装置の処理装置と協同的に動く処理装置をさらに含む請求項１１に記載のパッケージ。
【請求項１５】
前記パッケージの前記処理装置がさらに、他のパッケージの他の処理装置または他の電子伝達装置の他の処理装置とともに協同的に働くために構成されており、前記他のパッケージおよび前記他の電子伝達装置からの手段を使い、それにより多数の処理装置システムを構成する請求項１４に記載のパッケージ。
【請求項１６】
さらに、
（ａ）前記覆いの内側に収容され、ユーザーの生理学上のデータおよび環境上のデータを測るために構成された多数のセンサーと、
（ｂ）前記生理学上のデータおよび前記環境上のデータを蓄えるために構成された保管ユニットと、を含む請求項１１に記載のパッケージ。
【請求項１７】
さらに、前記覆いの内側に収容されたデータ伝達モジュールを含み、分析またはデータ伝達ネットワークにつなげられた前記電子伝達装置との接続により共有するために、前記生理学上のデータおよび前記環境上のデータを中央に集められたクラウドサーバーに送るために構成している請求項１６に記載のパッケージ。
【請求項１８】
前記望まれる機能は、血液に関する測定、カードリーディング、温度測定、湿度測定、液体探知、画像発生、暗号文、指紋スキャン、光フラッシュ、位置測定、保管拡張、バッテリー拡張またはレーザー放出である請求項１１に記載のパッケージ。
【請求項１９】
（ａ）前記パッケージの端サイドの表面の外の方へおよび垂直に、拡張しているピンと、
（ｂ）前記パッケージの前記表面の内部へおよび垂直に拡張している穴と、をさらに含み、
前記ピンおよび前記穴は、他のパッケージの穴とピンにそれぞれ連結するために構成され、それにより、それらの間が頑丈に固定される請求項１１に記載のパッケージ。
【請求項２０】
前記接続インターフェースはコネクターのカードエッジタイプである請求項１１に記載のパッケージ。
【請求項２１】
望まれる機能を電子伝達装置に追加するための方法であって、
Ｉ．（ａ）前記アダプターを前記電子伝達装置に接続するための接続モジュールと、
（ｂ）前記フレームに配置された多数のドッキング領域と、を含み、
各前記ドッキング領域が
（ｉ）予め決められた大きさおよび予め決められた形状を有する空間ユニットを有する空間と、
（ｉｉ）定着メカニズムと、
（ｉｉｉ）電気的相互連結サイトと、
をさら含むフレームを含むアダプターを供給する工程と、
ＩＩ．前記定着メカニズムを経由して前記フレームとドッキングするための取り付けメカニズムを有する少なくとも１つのパッケージを供給し、前記パッケージはさらに少なくとも１つの空間ユニットの大きさおよび形状を有し、前記パッケージはさらに、前記望まれる機能を実現するための電子部品を含む工程と、
ＩＩＩ．前記定着メカニズムを経由して少なくとも１つのパッケージを前記ドッキング領域に差し込む工程と、
ＩＶ．前記少なくとも１つのパッケージを前記フレームに電気的に接続する工程と、
Ｖ．前記接続モジュールを経由して、前記少なくとも１つのパッケージおよび前記電子伝達装置の間の接続を確立する工程と、
ＶＩ．前記電子伝達装置において、前記望まれる機能を実現する工程と、を含み、
それにより、ユーザーは最大限の柔軟性と効率とともに前記電子伝達装置の機能を増やすことができる方法。
【請求項２２】
フレームを供給することにより、少なくとも１つの望まれる機能を電子伝達装置に供給するための方法であって、
前記フレームは、前記電子伝達装置に接続されるために構成されたアダプターの一部であり、少なくとも１つの望まれる機能を、前記アダプターを経由して前記電子伝達装置に追加する能力があり、前記フレームはさらに多数のドッキング領域を含み、各前記ドッキング領域は、予め決められた大きさおよび予め決められた形状の空間ユニットを有する空間と、定着メカニズムと、電気的相互連結サイトと、を含み、
（ａ）前記電子伝達装置に追加されることになる望まれる機能を選択する工程と、
（ｂ）前記望ましい機能を実現するために必要とされる部品を選択する工程と、
（ｃ）前記部品を収容するために必要とされる空間の総計を決める工程と、
（ｄ）空間の前記総計よりも大きい内部の容積を有するパッケージの覆いを選択し、前記パッケージの覆いはさらに、前記空間ユニットの少なくとも１つの大きさおよび形状を有し、前記パッケージの覆いは、さらに、前記定着メカニズムを経由して前記フレームにドッキングするための取り付けメカニズムを含む工程と、
（ｅ）前記部品を前記パッケージの覆いに集め、それによりパッケージを構成する工程と、
（ｆ）前記電気的相互連結サイトを経由して、前記パッケージと前記電子伝達装置の間の接続インターフェースを確立する工程と、
（ｇ）前記電子伝達装置において、前記望まれる機能を実現する工程と、を含み、
それにより、ユーザーは最大限の柔軟性と効率とともに前記電子伝達装置の機能を増やすことができる方法。
【請求項２３】
装置部品を含む電子伝達装置であって、
前記装置部品は、
（ａ）前記装置部品と前記電子伝達装置を接続するための接続モジュールおよび
（ｂ）前記装置部品に配置された多数のドッキング領域を含み、
各前記ドッキング領域は、
（ｉ）予め決められた大きさおよび予め決められた形状を有する空間ユニットを有する空間と、
（ｉｉ）定着メカニズムと、
（ｉｉｉ）電子的相互連結サイトと、を含み、
前記空間は、前記定着メカニズムを経由して前記装置部品とドッキングするための取り付けメカニズムを有するパッケージを受け取るために適合され、
前記パッケージは前記空間ユニットの少なくとも１つの大きさおよび形状を有し、
前記パッケージが前記ドッキング領域にドッキングされる時に、前記電気的相互連結サイトは、前記パッケージと連結するために構成され、
前記接続モジュールは、前記パッケージと前記電子伝達装置の間の接続インターフェースを確立するために構成され、
前記装置部品は前記パッケージの普遍的なドッキングを供給し、それにより、ユーザーが、少なくとも１つの望まれる機能を前記電子伝達装置に追加することを可能にし、
前記電子伝達装置は、前記装置部品とともに型に入れられて、シームレスユニットが作られる電子伝達装置。
【請求項２４】
前記接続モジュールは電気的コネクターまたはワイヤレス接続モジュールであり、
前記ワイヤレス接続モジュールはＢｌｕｅｔｏｏｔｈモジュール、Ｚｉｐｂｅｅモジュール、ｎｅａｒ  ｆｉｅｌｄ伝達モジュール、Ｗｉ−Ｆｉモジュールまたは赤外線モジュールである請求項２３に記載の電子伝達装置。
【請求項２５】
前記装置部品はさらに、
（ａ）前記装置部品の一端から前記装置部品の反対の端まで拡張している突起および
（ｂ）前記突起から垂直に拡張している多数のレールを含み、
２つの連続したレールが前記空間の２つのサイドを定めており、前記ドッキング領域の前記定着メカニズムとして働く請求項２３に記載の電子伝達装置。
【請求項２６】
前記電気的相互連結サイトが前記突起の長さに沿って配置されており、
各前記相互連結サイトはさらに少なくとも１つの電気的コネクターを含み、
各前記パッケージはさらに前記電気的コネクターに連結するために構成された金属部分を含む請求項２５に記載の電子伝達装置。
【請求項２７】
前記電気的コネクターはカードエッジコネクター、スライダーコネクター、ピンコネクターおよびフラットコネクターからなる群から選ばれる請求項２６に記載の電子伝達装置。
【請求項２８】
前記装置部品はさらに、
（ａ）前記装置部品の一端から前記装置部品の反対の端まで拡張された第１フラットパネルおよび
（ｂ）前記第１フラットパネルに配置された多数の金属接触部分を含み、
前記金属接触部分は前記ドッキング領域の前記電気的相互連結サイトであり、前記定着メカニズムは前記第１フラットパネルに配置される請求項２３に記載の電子伝達装置。
【請求項２９】
前記定着メカニズムはレール、気体コネクターおよび磁気コネクターからなる群から選ばれる請求項２８に記載の電子伝達装置。
【請求項３０】
さらに前記第１フラットパネルに平行な第２フラットパネルを含み、
前記ドッキング領域は前記第１フラットパネルと前記第２フラットパネルの間の空の空間の部分である請求項２８に記載の電子伝達装置。
【請求項３１】
前記第２フラットパネルはフィッシュボーンの一般的な形状である請求項３０に記載の電子伝達装置。
【請求項３２】
装置部品の多数のドッキング領域の少なくとも１つに連結するために適合されたパッケージであって、前記装置部品は、電子伝達装置に接続されることが可能な電子伝達装置の一部であり、少なくとも１つの望まれる機能を前記電子伝達装置を経由して前記電子伝達装置に追加する能力があり、各前記ドッキング領域は予め決められた大きさおよび予め決められた形状を有する空間ユニットを有する空間を有し、前記パッケージは、
（ａ）前記装置部品の前記少なくとも１つのドッキング領域に連結するための取り付けメカニズムを含む覆い、
（ｂ）前記望まれる機能を実現するための前記覆いの内側に収容された電子部品および
（ｃ）前記パッケージが前記装置部品に電気的に接続するための接続インターフェースを含み、
同じ装置部品が様々な機能を有する多様な大きさの異なる前記パッケージに使われることになる状態により、最大限の柔軟性を供給するために、前記電子部品の異なる容積および総計がそこに収容されることができるように、前記覆いは、少なくとも１つの前記空間ユニットの大きさおよび形状を有し、
前記電子伝達装置は、前記装置部品とともに型に入れられて、シームレスユニットが作られるパッケージ。
【請求項３３】
さらに、前記電子部品を制御するために構成された処理装置を含み、
前記パッケージの前記処理装置は、ユーザーとの相互作用のために前記電子伝達装置の手段を使うことにより、前記望まれる機能を実現するための前記電子伝達装置の処理装置を独立して動かすために構成されている請求項３２に記載のパッケージ。
【請求項３４】
前記電子部品の制御は、前記電子伝達装置の前記処理装置および前記パッケージの前記処理装置の間でスイッチで切り換え可能である請求項３３に記載のパッケージ。
【請求項３５】
前記電子伝達装置または前記パッケージの前記望まれる機能の異なる仕事の処理時間の速度を上げるために、前記電子伝達装置の処理装置と協同的に動く処理装置をさらに含む請求項３２に記載のパッケージ。
【請求項３６】
前記パッケージの前記処理装置がさらに、他のパッケージの他の処理装置または他の電子伝達装置の他の処理装置とともに協同的に働くために構成されており、前記他のパッケージおよび前記他の電子伝達装置からの手段を使い、それにより多数の処理装置システムを構成する請求項３５に記載のパッケージ。
【請求項３７】
さらに、
（ａ）前記覆いの内側に収容され、ユーザーの生理学上のデータおよび環境上のデータを測るために構成された多数のセンサーと、
（ｂ）前記生理学上のデータおよび前記環境上のデータを蓄えるために構成された保管ユニットと、を含む請求項３２に記載のパッケージ。
【請求項３８】
さらに、前記覆いの内側に収容されたデータ伝達モジュールを含み、分析またはデータ伝達ネットワークにつなげられた前記電子伝達装置との接続により共有するために、前記生理学上のデータおよび前記環境上のデータを中央に集められたクラウドサーバーに送るために構成している請求項３７に記載のパッケージ。
【請求項３９】
前記望まれる機能は、血液に関する測定、カードリーディング、温度測定、湿度測定、液体探知、画像発生、暗号文、指紋スキャン、光フラッシュ、位置測定、保管拡張、バッテリー拡張またはレーザー放出である請求項３２に記載のパッケージ。
【請求項４０】
（ａ）前記パッケージの端サイドの表面の外の方へおよび垂直に、拡張しているピンと、
（ｂ）前記パッケージの前記表面の内部へおよび垂直に拡張している穴と、をさらに含み、
前記ピンおよび前記穴は、他のパッケージの穴とピンにそれぞれ連結するために構成され、それにより、それらの間が頑丈に固定される請求項３２に記載のパッケージ。
【請求項４１】
前記接続インターフェースはコネクターのカードエッジタイプである請求項３２に記載のパッケージ。
【請求項４２】
望まれる機能を電子伝達装置に追加するための方法であって、
Ｉ．（ａ）前記装置部品を前記電子伝達装置に接続するための接続モジュールと、
（ｂ）前記装置部品に配置された多数のドッキング領域と、を含み、
各前記ドッキング領域が
（ｉ）予め決められた大きさおよび予め決められた形状を有する空間ユニットを有する空間と、
（ｉｉ）定着メカニズムと、
（ｉｉｉ）電気的相互連結サイトと、
をさら含む装置部品を供給する工程と、
ＩＩ．前記定着メカニズムを経由して前記装置部品とドッキングするための取り付けメカニズムを有する少なくとも１つのパッケージを供給し、前記パッケージはさらに少なくとも１つの空間ユニットの大きさおよび形状を有し、前記パッケージはさらに、前記望まれる機能を実現するための電子部品を含む工程と、
ＩＩＩ．前記定着メカニズムを経由して少なくとも１つのパッケージを前記ドッキング領域に差し込む工程と、
ＩＶ．前記少なくとも１つのパッケージを前記装置部品に電気的に接続する工程と、
Ｖ．前記接続モジュールを経由して、前記少なくとも１つのパッケージおよび前記電子伝達装置の間の接続を確立する工程と、
ＶＩ．前記電子伝達装置において、前記望まれる機能を実現する工程と、を含み、
前記電子伝達装置は、前記装置部品とともに型に入れられてシームレスユニットが作られ、
それにより、ユーザーは最大限の柔軟性と効率とともに前記電子伝達装置の機能を増やすことができる方法。
【請求項４３】
装置部品を供給することにより、少なくとも１つの望まれる機能を電子伝達装置に供給するための方法であって、
前記装置部品は、前記電子伝達装置に接続されるために構成された電子伝達装置の一部であり、少なくとも１つの望まれる機能を、前記電子伝達装置に追加する能力があり、前記装置部品はさらに多数のドッキング領域を含み、各前記ドッキング領域は、予め決められた大きさおよび予め決められた形状の空間ユニットを有する空間と、定着メカニズムと、電気的相互連結サイトと、を含み、
（ａ）前記電子伝達装置に追加されることになる望まれる機能を選択する工程と、
（ｂ）前記望ましい機能を実現するために必要とされる部品を選択する工程と、
（ｃ）前記部品を収容するために必要とされる空間の総計を決める工程と、
（ｄ）空間の前記総計よりも大きい内部の容積を有するパッケージの覆いを選択し、前記パッケージの覆いはさらに、前記空間ユニットの少なくとも１つの大きさおよび形状を有し、前記パッケージの覆いは、さらに、前記定着メカニズムを経由して前記装置部品にドッキングするための取り付けメカニズムを含む工程と、
（ｅ）前記部品を前記パッケージの覆いに集め、それによりパッケージを構成する工程と、
（ｆ）前記電気的相互連結サイトを経由して、前記パッケージと前記電子伝達装置の間の接続インターフェースを確立する工程と、
（ｇ）前記電子伝達装置において、前記望まれる機能を実現する工程と、を含み、
前記電子伝達装置は、前記装置部品とともに型に入れられて、シームレスユニットが作られ、
それにより、ユーザーは最大限の柔軟性と効率とともに前記電子伝達装置の機能を増やすことができる方法。
【国際調査報告】
2016540303.tif 000023
2016540303.tif 000024